(57)【要約】  ワイヤレス通信のための方法、システム、およびデバイスについて説明される。いくつかの場合には、ベースシーケンスのランダム化済みシフトが、アップリンク制御情報の送信に使用され得る。例えば、ユーザ機器（ＵＥ）が、アップリンク制御メッセージのベースシーケンスを識別し得る。ＵＥはまた、ベースシーケンスに適用され得るＵＥ固有初期シフトを示すシグナリングを受信し得る。いくつかの例では、ランダム化済みシフトを示すシグナリングは、明示的、暗黙的、またはこれらの組合せであり得る。ＵＥ固有初期シフトと、アップリンク制御メッセージのペイロードと、ベースシーケンスとに基づいて１つまたは複数のシフト済みシーケンスを決定した後、ＵＥは、送信されることになるシフト済みシーケンスを選択し得、ここで、選択は、アップリンク制御メッセージのペイロードに基づく。例えば、スケジューリング要求、１ビット肯定応答（ＡＣＫ）、２ビットＡＣＫなどのそれぞれの送信のために、異なるシフト済みシーケンスが選択され得る。【選択図】図２Ｂ
2021505055.tif 000002
【特許請求の範囲】
【請求項１】
ユーザ機器（ＵＥ）におけるワイヤレス通信のための方法であって、
アップリンク制御メッセージの送信のためのベースシーケンスを識別することと、
前記ベースシーケンスとともに使用されることになるＵＥ固有初期シフトを示すシグナリングを受信することと、
前記アップリンク制御メッセージのためのアップリンク制御情報を決定することと、
前記ＵＥ固有初期シフトおよび前記アップリンク制御情報に少なくとも部分的に基づいて前記ベースシーケンスのシフト済みシーケンスを決定することと、
前記アップリンク制御情報を前記アップリンク制御メッセージ中で送信することと、ここにおいて、前記アップリンク制御情報が前記シフト済みシーケンスに少なくとも部分的に基づく、
を備える方法。
【請求項２】
前記アップリンク制御情報のペイロードがスケジューリング要求（ＳＲ）、１ビット肯定応答、または２ビット肯定応答のうちの１つであると識別することと、
前記識別されたペイロードに少なくとも部分的に基づいて前記シフト済みシーケンスを決定することと
をさらに備える、請求項１に記載の方法。
【請求項３】
前記アップリンク制御メッセージがショート物理アップリンク制御チャネルメッセージとしてフォーマットされ、前記アップリンク制御情報の前記ペイロードが前記１ビット肯定応答または前記２ビット肯定応答を備える、請求項２に記載の方法。
【請求項４】
前記アップリンク制御情報の前記ペイロードが前記１ビット肯定応答を備え、前記シフト済みシーケンスを決定することが、
前記アップリンク制御情報前記ペイロードに対応するシフト値に少なくとも部分的に基づいて前記シフト済みシーケンスを決定することを備え、前記シフト値が０または６の値を備える、請求項３に記載の方法。
【請求項５】
前記アップリンク制御情報が前記２ビット肯定応答を備え、前記シフト済みシーケンスを決定することが、
前記アップリンク制御情報前記ペイロードに対応するシフト値に少なくとも部分的に基づいて前記シフト済みシーケンスを決定することを備え、前記シフト値が０、３、６、または９の値を備える、請求項３に記載の方法。
【請求項６】
前記アップリンク制御情報を決定することが、
前記アップリンク制御情報中の肯定応答情報のサイズを決定することを備える、請求項１に記載の方法。
【請求項７】
前記ＵＥ固有初期シフトを示す前記シグナリングを受信することが、
前記ＵＥ固有初期シフトの明示的な指示を受信することを備える、請求項１に記載の方法。
【請求項８】
前記明示的な指示が、ダウンリンク制御情報（ＤＣＩ）メッセージの肯定応答（ＡＣＫ）リソースインジケータ（ＡＲＩ）ビット内に含まれる、請求項７に記載の方法。
【請求項９】
前記ＡＲＩビットの数が、２を前記ＡＲＩビットの数で累乗した値が前記アップリンク制御メッセージのために構成されたリソースの数よりも大きいような、十分に多い数である、請求項８に記載の方法。
【請求項１０】
前記ＵＥ固有初期シフトを示す前記シグナリングを受信することが、
前記ＵＥ固有初期シフトの導出元となる制御チャネル要素（ＣＣＥ）インデックスを有するダウンリンクグラント制御メッセージを受信することを備える、請求項１に記載の方法。
【請求項１１】
前記ダウンリンクグラント制御メッセージの前記ＣＣＥインデックスに少なくとも部分的に基づいて前記ＵＥ固有初期シフトについてのリソースブロック（ＲＢ）インデックスおよびシフトインデックスを導出することをさらに備える、請求項１０に記載の方法。
【請求項１２】
前記ＵＥ固有初期シフトを示す前記シグナリングを受信することが、
前記アップリンク制御メッセージのために構成されたリソースのサブセットの明示的な指示を受信することと、
制御チャネル要素（ＣＣＥ）インデックスを有するダウンリンクグラント制御メッセージを受信することと、
リソースの前記サブセットに適用された前記ＣＣＥインデックスに少なくとも部分的に基づいて前記ＵＥ固有初期シフトについてのリソースブロック（ＲＢ）インデックスおよびシフトインデックスを導出することと
を備える、請求項１に記載の方法。
【請求項１３】
前記明示的な指示が、ダウンリンク制御情報（ＤＣＩ）メッセージの肯定応答（ＡＣＫ）リソースインジケータ（ＡＲＩ）ビット内に含まれる、請求項１２に記載の方法。
【請求項１４】
前記ＡＲＩビットの数が、２を前記ＡＲＩビットの数で累乗した値が前記アップリンク制御メッセージのために構成されたリソースの数よりも小さいような数である、請求項１３に記載の方法。
【請求項１５】
前記ＵＥ固有初期シフトおよび前記アップリンク制御情報に少なくとも部分的に基づいて前記ベースシーケンスの１つまたは複数のシフト済みシーケンスを決定することと、
前記アップリンク制御メッセージのペイロードに少なくとも部分的に基づいて前記１つまたは複数のシフト済みシーケンスから前記シフト済みシーケンスを選択することと
をさらに備える、請求項１に記載の方法。
【請求項１６】
前記１つまたは複数のシフト済みシーケンスからの前記シフト済みシーケンスの前記選択をランダム化することをさらに備える、請求項１５に記載の方法。
【請求項１７】
基地局におけるワイヤレス通信のための方法であって、
アップリンク制御メッセージの送信のためのベースシーケンスに適用されることになるＵＥ固有初期シフトを示すシグナリングをユーザ機器（ＵＥ）に送信することと、
アップリンク制御情報を前記アップリンク制御メッセージ中で受信することと、ここにおいて、前記アップリンク制御情報が、前記ＵＥ固有初期シフトと前記アップリンク制御情報のペイロードとに従って前記ベースシーケンスに対してシフトされたシフト済みシーケンスに少なくとも部分的に基づく、
を備える方法。
【請求項１８】
前記アップリンク制御メッセージがショート物理アップリンク制御チャネルメッセージとしてフォーマットされ、前記アップリンク制御情報の前記ペイロードが１ビット肯定応答または２ビット肯定応答を備える、請求項１７に記載の方法。
【請求項１９】
前記ＵＥ固有初期シフトを示す前記シグナリングを送信することが、
前記ＵＥ固有初期シフトの明示的な指示を送信することを備える、請求項１７に記載の方法。
【請求項２０】
前記明示的な指示が、ダウンリンク制御情報（ＤＣＩ）メッセージの肯定応答（ＡＣＫ）リソースインジケータ（ＡＲＩ）ビット内に含まれる、請求項１９に記載の方法。
【請求項２１】
前記ＡＲＩビットの数が、２を前記ＡＲＩビットの数で累乗した値が前記アップリンク制御メッセージのために構成されたリソースの数よりも大きいような、十分に多い数である、請求項２０に記載の方法。
【請求項２２】
追加のシグナリングを異なるＵＥに送信することをさらに備え、前記追加のシグナリングが、アップリンク制御メッセージの送信間の干渉がランダム化され得るような、前記異なるＵＥの各々によって前記ベースシーケンスに適用されることになる異なるＵＥ固有初期シフトを示す、請求項１７に記載の方法。
【請求項２３】
前記ＵＥ固有初期シフトを示す前記シグナリングを送信することが、
前記ＵＥ固有初期シフトの導出元となる制御チャネル要素（ＣＣＥ）インデックスを有するダウンリンクグラント制御メッセージを送信することを備える、請求項１７に記載の方法。
【請求項２４】
前記ＵＥ固有初期シフトを示す前記シグナリングを送信することが、
前記アップリンク制御メッセージのために構成されたリソースのサブセットの明示的な指示を送信することと、
リソースの前記サブセットに適用された制御チャネル要素（ＣＣＥ）インデックスに少なくとも部分的に基づいて前記ＵＥ固有初期シフトについてのリソースブロック（ＲＢ）インデックスおよびシフトインデックスが導出されることが可能であるような前記ＣＣＥインデックスを有するダウンリンクグラント制御メッセージを送信することと
を備える、請求項１７に記載の方法。
【請求項２５】
前記明示的な指示が、ダウンリンク制御情報（ＤＣＩ）メッセージの肯定応答（ＡＣＫ）リソースインジケータ（ＡＲＩ）ビット内に含まれる、請求項２４に記載の方法。
【請求項２６】
前記ＡＲＩビットの数が、２を前記ＡＲＩビットの数で累乗した値が前記アップリンク制御メッセージのために構成されたリソースの数よりも小さいような数である、請求項２５に記載の方法。
【請求項２７】
ユーザ機器（ＵＥ）におけるワイヤレス通信のための装置であって、
アップリンク制御メッセージの送信のためのベースシーケンスを識別するための手段と、
前記ベースシーケンスとともに使用されることになるＵＥ固有初期シフトを示すシグナリングを受信するための手段と、
前記アップリンク制御メッセージのためのアップリンク制御情報を決定するための手段と、
前記ＵＥ固有初期シフトおよび前記アップリンク制御情報に少なくとも部分的に基づいて前記ベースシーケンスのシフト済みシーケンスを決定するための手段と、
前記アップリンク制御情報を前記アップリンク制御メッセージ中で送信するための手段と、ここにおいて、前記アップリンク制御情報が前記シフト済みシーケンスに少なくとも部分的に基づく、
を備える装置。
【請求項２８】
前記アップリンク制御情報のペイロードがスケジューリング要求（ＳＲ）、１ビット肯定応答、または２ビット肯定応答のうちの１つであると識別するための手段と、
前記識別されたペイロードに少なくとも部分的に基づいて前記シフト済みシーケンスを決定するための手段と
をさらに備える、請求項２７に記載の装置。
【請求項２９】
前記アップリンク制御メッセージがショート物理アップリンク制御チャネルメッセージとしてフォーマットされ、前記アップリンク制御情報の前記ペイロードが前記１ビット肯定応答または前記２ビット肯定応答を備える、請求項２８に記載の装置。
【請求項３０】
前記アップリンク制御情報の前記ペイロードが前記１ビット肯定応答を備え、
前記アップリンク制御情報前記ペイロードに対応するシフト値に少なくとも部分的に基づいて前記シフト済みシーケンスを決定するための手段を備え、前記シフト値が０または６の値を備える、請求項２９に記載の装置。
【請求項３１】
前記アップリンク制御情報が前記２ビット肯定応答を備え、
前記アップリンク制御情報前記ペイロードに対応するシフト値に少なくとも部分的に基づいて前記シフト済みシーケンスを決定するための手段を備え、前記シフト値が０、３、６、または９の値を備える、請求項２９に記載の装置。
【請求項３２】
前記アップリンク制御情報を決定するための前記手段が、前記アップリンク制御情報中の肯定応答情報のサイズを決定するための手段を備える、請求項２７に記載の装置。
【請求項３３】
前記ＵＥ固有初期シフトを示す前記シグナリングを受信するための前記手段が、
前記ＵＥ固有初期シフトの明示的な指示を受信するための手段を備える、請求項２７に記載の装置。
【請求項３４】
前記明示的な指示が、ダウンリンク制御情報（ＤＣＩ）メッセージの肯定応答（ＡＣＫ）リソースインジケータ（ＡＲＩ）ビット内に含まれる、請求項３３に記載の装置。
【請求項３５】
前記ＡＲＩビットの数が、２を前記ＡＲＩビットの数で累乗した値が前記アップリンク制御メッセージのために構成されたリソースの数よりも大きいような、十分に多い数である、請求項３４に記載の装置。
【請求項３６】
前記ＵＥ固有初期シフトを示す前記シグナリングを受信するための前記手段が、
前記ＵＥ固有初期シフトの導出元となる制御チャネル要素（ＣＣＥ）インデックスを有するダウンリンクグラント制御メッセージを受信するための手段を備える、請求項２７に記載の装置。
【請求項３７】
前記ダウンリンクグラント制御メッセージの前記ＣＣＥインデックスに少なくとも部分的に基づいて前記ＵＥ固有初期シフトについてのリソースブロック（ＲＢ）インデックスおよびシフトインデックスを導出するための手段をさらに備える、請求項３６に記載の装置。
【請求項３８】
前記ＵＥ固有初期シフトを示す前記シグナリングを受信するための前記手段が、
前記アップリンク制御メッセージのために構成されたリソースのサブセットの明示的な指示を受信するための手段と、
制御チャネル要素（ＣＣＥ）インデックスを有するダウンリンクグラント制御メッセージを受信するための手段と、
リソースの前記サブセットに適用された前記ＣＣＥインデックスに少なくとも部分的に基づいて前記ＵＥ固有初期シフトについてのリソースブロック（ＲＢ）インデックスおよびシフトインデックスを導出するための手段と
を備える、請求項２７に記載の装置。
【請求項３９】
前記明示的な指示が、ダウンリンク制御情報（ＤＣＩ）メッセージの肯定応答（ＡＣＫ）リソースインジケータ（ＡＲＩ）ビット内に含まれる、請求項３８に記載の装置。
【請求項４０】
前記ＡＲＩビットの数が、２を前記ＡＲＩビットの数で累乗した値が前記アップリンク制御メッセージのために構成されたリソースの数よりも小さいような数である、請求項３９に記載の装置。
【請求項４１】
前記ＵＥ固有初期シフトおよび前記アップリンク制御情報に少なくとも部分的に基づいて前記ベースシーケンスの１つまたは複数のシフト済みシーケンスを決定するための手段と、
前記アップリンク制御メッセージのペイロードに少なくとも部分的に基づいて前記１つまたは複数のシフト済みシーケンスから前記シフト済みシーケンスを選択するための手段と
をさらに備える、請求項２７に記載の装置。
【請求項４２】
前記１つまたは複数のシフト済みシーケンスからの前記シフト済みシーケンスの前記選択をランダム化するための手段をさらに備える、請求項４１に記載の装置。
【請求項４３】
基地局におけるワイヤレス通信のための装置であって、
アップリンク制御メッセージの送信のためのベースシーケンスに適用されることになるＵＥ固有初期シフトを示すシグナリングをユーザ機器（ＵＥ）に送信するための手段と、
アップリンク制御情報を前記アップリンク制御メッセージ中で受信するための手段と、ここにおいて、前記アップリンク制御情報が、前記ＵＥ固有初期シフトと前記アップリンク制御情報のペイロードとに従って前記ベースシーケンスに対してシフトされたシフト済みシーケンスに少なくとも部分的に基づく、
を備える装置。
【請求項４４】
前記アップリンク制御メッセージがショート物理アップリンク制御チャネルメッセージとしてフォーマットされ、前記アップリンク制御情報の前記ペイロードが１ビット肯定応答または２ビット肯定応答を備える、請求項４３に記載の装置。
【請求項４５】
前記ＵＥ固有初期シフトを示す前記シグナリングを送信するための前記手段が、
前記ＵＥ固有初期シフトの明示的な指示を送信するための手段を備える、請求項４３に記載の装置。
【請求項４６】
前記明示的な指示が、ダウンリンク制御情報（ＤＣＩ）メッセージの肯定応答（ＡＣＫ）リソースインジケータ（ＡＲＩ）ビット内に含まれる、請求項４５に記載の装置。
【請求項４７】
前記ＡＲＩビットの数が、２を前記ＡＲＩビットの数で累乗した値が前記アップリンク制御メッセージのために構成されたリソースの数よりも大きいような、十分に多い数である、請求項４６に記載の装置。
【請求項４８】
追加のシグナリングを異なるＵＥに送信するための手段をさらに備え、前記追加のシグナリングが、アップリンク制御メッセージの送信間の干渉がランダム化され得るような、前記異なるＵＥの各々によって前記ベースシーケンスに適用されることになる異なるＵＥ固有初期シフトを示す、請求項４３に記載の装置。
【請求項４９】
前記ＵＥ固有初期シフトを示す前記シグナリングを送信するための前記手段が、
前記ＵＥ固有初期シフトの導出元となる制御チャネル要素（ＣＣＥ）インデックスを有するダウンリンクグラント制御メッセージを送信するための手段を備える、請求項４３に記載の装置。
【請求項５０】
前記ＵＥ固有初期シフトを示す前記シグナリングを送信するための前記手段が、
前記アップリンク制御メッセージのために構成されたリソースのサブセットの明示的な指示を送信するための手段と、
リソースの前記サブセットに適用された制御チャネル要素（ＣＣＥ）インデックスに少なくとも部分的に基づいて前記ＵＥ固有初期シフトについてのリソースブロック（ＲＢ）インデックスおよびシフトインデックスが導出されることが可能であるような前記ＣＣＥインデックスを有するダウンリンクグラント制御メッセージを送信するための手段と
を備える、請求項４３に記載の装置。
【請求項５１】
前記明示的な指示が、ダウンリンク制御情報（ＤＣＩ）メッセージの肯定応答（ＡＣＫ）リソースインジケータ（ＡＲＩ）ビット内に含まれる、請求項５０に記載の装置。
【請求項５２】
前記ＡＲＩビットの数が、２を前記ＡＲＩビットの数で累乗した値が前記アップリンク制御メッセージのために構成されたリソースの数よりも小さいような数である、請求項５１に記載の装置。
【請求項５３】
ユーザ機器（ＵＥ）におけるワイヤレス通信のための装置であって、
プロセッサと、
前記プロセッサと電子通信しているメモリと、
前記メモリに記憶された命令とを備え、前記命令が、
アップリンク制御メッセージの送信のためのベースシーケンスを識別することと、
前記ベースシーケンスとともに使用されることになるＵＥ固有初期シフトを示すシグナリングを受信することと、
前記アップリンク制御メッセージのためのアップリンク制御情報を決定することと、
前記ＵＥ固有初期シフトおよび前記アップリンク制御情報に少なくとも部分的に基づいて前記ベースシーケンスのシフト済みシーケンスを決定することと、
前記アップリンク制御情報を前記アップリンク制御メッセージ中で送信することと、ここにおいて、前記アップリンク制御情報が前記シフト済みシーケンスに少なくとも部分的に基づく、
を前記装置にさせるために前記プロセッサによって実行可能である、装置。
【請求項５４】
前記命令がさらに、
前記アップリンク制御情報のペイロードがスケジューリング要求（ＳＲ）、１ビット肯定応答、または２ビット肯定応答のうちの１つであると識別することと、
前記識別されたペイロードに少なくとも部分的に基づいて前記シフト済みシーケンスを決定することと
を前記装置にさせるために前記プロセッサによって実行可能である、請求項５３に記載の装置。
【請求項５５】
前記アップリンク制御メッセージがショート物理アップリンク制御チャネルメッセージとしてフォーマットされ、前記アップリンク制御情報の前記ペイロードが前記１ビット肯定応答または前記２ビット肯定応答を備える、請求項５４に記載の装置。
【請求項５６】
前記アップリンク制御情報の前記ペイロードが前記１ビット肯定応答を備え、
前記アップリンク制御情報前記ペイロードに対応するシフト値に少なくとも部分的に基づいて前記シフト済みシーケンスを決定することを備え、前記シフト値が０または６の値を備える、請求項５５に記載の装置。
【請求項５７】
前記アップリンク制御情報が前記２ビット肯定応答を備え、
前記アップリンク制御情報前記ペイロードに対応するシフト値に少なくとも部分的に基づいて前記シフト済みシーケンスを決定することを備え、前記シフト値が０、３、６、または９の値を備える、請求項５５に記載の装置。
【請求項５８】
前記アップリンク制御情報を決定するための前記命令が、
前記アップリンク制御情報中の肯定応答情報のサイズを決定することを前記装置にさせるために前記プロセッサによって実行可能である、請求項５３に記載の装置。
【請求項５９】
前記ＵＥ固有初期シフトを示す前記シグナリングを受信するための前記命令が、
前記ＵＥ固有初期シフトの明示的な指示を受信することを前記装置にさせるために前記プロセッサによって実行可能である、請求項５３に記載の装置。
【請求項６０】
基地局におけるワイヤレス通信のための装置であって、
プロセッサと、
前記プロセッサと電子通信しているメモリと、
前記メモリに記憶された命令とを備え、前記命令が、
アップリンク制御メッセージの送信のためのベースシーケンスに適用されることになるＵＥ固有初期シフトを示すシグナリングをユーザ機器（ＵＥ）に送信することと、
アップリンク制御情報を前記アップリンク制御メッセージ中で受信することと、ここにおいて、前記アップリンク制御情報が、前記ＵＥ固有初期シフトと前記アップリンク制御情報のペイロードとに従って前記ベースシーケンスに対してシフトされたシフト済みシーケンスに少なくとも部分的に基づく、
を前記装置にさせるために前記プロセッサによって実行可能である、装置。
【請求項６１】
前記アップリンク制御メッセージがショート物理アップリンク制御チャネルメッセージとしてフォーマットされ、前記アップリンク制御情報の前記ペイロードが１ビット肯定応答または２ビット肯定応答を備える、請求項６０に記載の装置。
【請求項６２】
前記ＵＥ固有初期シフトを示す前記シグナリングを送信するための前記命令が、
前記ＵＥ固有初期シフトの明示的な指示を送信することを前記装置にさせるために前記プロセッサによって実行可能である、請求項６０に記載の装置。
【請求項６３】
前記命令がさらに、
追加のシグナリングを異なるＵＥに送信することを前記装置にさせるために前記プロセッサによって実行可能であり、前記追加のシグナリングが、アップリンク制御メッセージの送信間の干渉がランダム化され得るような、前記異なるＵＥの各々によって前記ベースシーケンスに適用されることになる異なるＵＥ固有初期シフトを示す、請求項６０に記載の装置。
【請求項６４】
ユーザ機器（ＵＥ）におけるワイヤレス通信のためのコードを記憶した非一時的コンピュータ可読媒体であって、前記コードが、
アップリンク制御メッセージの送信のためのベースシーケンスを識別することと、
前記ベースシーケンスとともに使用されることになるＵＥ固有初期シフトを示すシグナリングを受信することと、
前記アップリンク制御メッセージのためのアップリンク制御情報を決定することと、
前記ＵＥ固有初期シフトおよび前記アップリンク制御情報に少なくとも部分的に基づいて前記ベースシーケンスのシフト済みシーケンスを決定することと、
前記アップリンク制御情報を前記アップリンク制御メッセージ中で送信することと、ここにおいて、前記アップリンク制御情報が前記シフト済みシーケンスに少なくとも部分的に基づく、
をするためにプロセッサによって実行可能な命令を備える、非一時的コンピュータ可読媒体。
【請求項６５】
基地局におけるワイヤレス通信のためのコードを記憶した非一時的コンピュータ可読媒体であって、前記コードが、
アップリンク制御メッセージの送信のためのベースシーケンスに適用されることになるＵＥ固有初期シフトを示すシグナリングをユーザ機器（ＵＥ）に送信することと、
アップリンク制御情報を前記アップリンク制御メッセージ中で受信することと、ここにおいて、前記アップリンク制御情報が、前記ＵＥ固有初期シフトと前記アップリンク制御情報のペイロードとに従って前記ベースシーケンスに対してシフトされたシフト済みシーケンスに少なくとも部分的に基づく、
をするためにプロセッサによって実行可能な命令を備える、非一時的コンピュータ可読媒体。
【発明の詳細な説明】
【相互参照】
【０００１】
[0001]  本特許出願は、２０１８年１１月２８日に出願されたＷａｎｇ他による「Ｕｓｅｒ  Ｅｑｕｉｐｍｅｎｔ  Ｓｈｉｆｔ  Ｒａｎｄｏｍｉｚａｔｉｏｎ  ｆｏｒ  Ｕｐｌｉｎｋ  Ｃｏｎｔｒｏｌ  Ｃｈａｎｎｅｌ  Ｔｒａｎｓｍｉｓｓｉｏｎ」という名称の米国特許出願第１６／２０２，９２７号、および２０１７年１１月２９日に出願されたＷａｎｇ他による「Ｕｓｅｒ  Ｅｑｕｉｐｍｅｎｔ  Ｓｈｉｆｔ  Ｒａｎｄｏｍｉｚａｔｉｏｎ  ｆｏｒ  Ｕｐｌｉｎｋ  Ｃｏｎｔｒｏｌ  Ｃｈａｎｎｅｌ  Ｆｏｒｍａｔ  ０  ｉｎ  Ｎｅｗ  Ｒａｄｉｏ」という名称の米国仮特許出願第６２／５９２，３９１号の利益を主張するもので、本出願の譲受人に譲渡され、その全体が参照により明確に組み込まれる。
【技術分野】
【０００２】
[0002]  以下は、一般に、ワイヤレス通信に関し、より詳細には、アップリンク制御チャネルフォーマット送信のためのユーザ機器シフトランダム化に関する。
【背景技術】
【０００３】
[0003]  ワイヤレス通信システムは、音声、ビデオ、パケットデータ、メッセージング、ブロードキャストなどの様々なタイプの通信コンテンツを提供するために広く展開されている。これらのシステムは、利用可能なシステムリソース（例えば、時間、周波数、および電力）を共有することによって複数のユーザとの通信をサポートすることが可能であり得る。そのような多元接続システムの例は、ロングタームエボリューション（ＬＴＥ（登録商標））システム、ＬＴＥアドバンスト（ＬＴＥ−Ａ）システム、またはＬＴＥ−Ａ  Ｐｒｏシステムなどの第４世代（４Ｇ）システムおよび新無線（ＮＲ：New Radio）システムと呼ばれることがある第５世代（５Ｇ）システムを含む。これらのシステムは、符号分割多元接続（ＣＤＭＡ）、時分割多元接続（ＴＤＭＡ）、周波数分割多元接続（ＦＤＭＡ）、直交周波数分割多元接続（ＯＦＤＭＡ）、または離散フーリエ変換拡散直交周波数分割多重（ＤＦＴ−ｓ−ＯＦＤＭ）などの技術を採用し得る。ワイヤレス多元接続通信システムは、場合によってはユーザ機器（ＵＥ：user equipment）として知られていることがある、複数の通信デバイスのための通信を各々が同時にサポートする、いくつかの基地局またはネットワークアクセスノードを含み得る。
【０００４】
[0004]  ワイヤレスシステム中のＵＥは、（例えば、スケジューリング要求、ハイブリッド自動再送要求（ＨＡＲＱ：hybrid automatic repeat request）フィードバックなどのために）アップリンク制御情報(uplink control information)を基地局に送信し得、ここで、各ＵＥは、送信のために物理アップリンク制御チャネル（ＰＵＣＣＨ：physical uplink control channel）を利用し得る。しかし、複数のＵＥがセル内のリソース上で多重化されているとき、異なる複数のＵＥによるアップリンク制御情報送信は、セル間干渉を引き起こすことがある。
【発明の概要】
【０００５】
[0005]  説明される技法は、アップリンク制御チャネル送信のためのユーザ機器（ＵＥ）シフトランダム化をサポートする改善された方法、システム、デバイス、または装置に関する。一般に、説明される技法は、アップリンク制御情報を送信するのに使用されるベースシーケンスのシフトの使用を可能にする。例えば、ＵＥが、アップリンク制御メッセージの送信に使用されるベースシーケンスを識別し得る。ＵＥはまた、識別されたベースシーケンスとともに使用され得る（例えば、それに適用され得る）ＵＥ固有初期シフトを示すシグナリングを受信し得る。いくつかの場合には、シグナリングは、明示的（例えば、受信された制御メッセージ中のいくつかのビットを使用する）であり得、または、制御チャネル要素（ＣＣＥ：control channel element）インデックスのマッピングに基づいて暗黙的であり得る。他の例では、初期シフトの指示に使用される明示的と暗黙的なマッピングとの組合せがあり得る。いくつかの例では、ＵＥは、アップリンク制御情報を決定し、ＵＥ固有初期シフトおよびアップリンク制御情報に基づいてベースシーケンスのシフト済みシーケンスを決定し得る。例えば、スケジューリング要求、１ビット肯定応答（ＡＣＫ：acknowledgment）、２ビットＡＣＫなどの送信に、異なるシフト済みシーケンスが使用され得る。ＵＥは、シフト済みシーケンスに基づいて、アップリンク制御情報をアップリンク制御メッセージ中で送信し得る。基地局が、ＵＥからシフト済みシーケンス（例えば、アップリンク制御メッセージ中のアップリンク制御情報）を受信し得、また、他のＵＥから異なるシフト済みシーケンスも受信し得る。ベースシーケンスのシフトのおかげで、同じＵＥが相互と干渉する可能性は低い。複数のＵＥ間の干渉の可能性は依然としてあり得るが、ランダム化されたシフトの結果、シフトがランダム化されていない（しかし常に同じである）場合に相互のアップリンク送信と通常なら干渉するであろうＵＥ間の干渉が回避される。
【０００６】
[0006]  ワイヤレス通信の方法について説明される。本方法は、アップリンク制御メッセージの送信のためのベースシーケンスを識別することと、ベースシーケンスとともに使用されることになるＵＥ固有初期シフトを示すシグナリングを受信することと、アップリンク制御メッセージのためのアップリンク制御情報を決定することと、ＵＥ固有初期シフトおよびアップリンク制御情報に基づいてベースシーケンスのシフト済みシーケンスを決定することと、アップリンク制御情報をアップリンク制御メッセージ中で送信することと、ここで、アップリンク制御情報がシフト済みシーケンスに基づく、を含み得る。
【０００７】
[0007]  ワイヤレス通信のための装置について説明される。本装置は、プロセッサと、プロセッサと電子通信しているメモリと、メモリに記憶された命令とを含み得る。命令は、アップリンク制御メッセージの送信のためのベースシーケンスを識別することと、ベースシーケンスとともに使用されることになるＵＥ固有初期シフトを示すシグナリングを受信することと、アップリンク制御メッセージのためのアップリンク制御情報を決定することと、ＵＥ固有初期シフトおよびアップリンク制御情報に基づいてベースシーケンスのシフト済みシーケンスを決定することと、アップリンク制御情報をアップリンク制御メッセージ中で送信することと、ここで、アップリンク制御情報がシフト済みシーケンスに基づく、を装置にさせるためにプロセッサによって実行可能であり得る。
【０００８】
[0008]  ワイヤレス通信のための別の装置について説明される。本装置は、アップリンク制御メッセージの送信のためのベースシーケンスを識別するための手段と、ベースシーケンスとともに使用されることになるＵＥ固有初期シフトを示すシグナリングを受信するための手段と、アップリンク制御メッセージのためのアップリンク制御情報を決定するための手段と、ＵＥ固有初期シフトおよびアップリンク制御情報に基づいてベースシーケンスのシフト済みシーケンスを決定するための手段と、アップリンク制御情報をアップリンク制御メッセージ中で送信するための手段と、ここで、アップリンク制御情報がシフト済みシーケンスに基づく、を含み得る。
【０００９】
[0009]  ワイヤレス通信のためのコードを記憶した非一時的コンピュータ可読媒体について説明される。コードは、アップリンク制御メッセージの送信のためのベースシーケンスを識別することと、ベースシーケンスとともに使用されることになるＵＥ固有初期シフトを示すシグナリングを受信することと、アップリンク制御メッセージのためのアップリンク制御情報を決定することと、ＵＥ固有初期シフトおよびアップリンク制御情報に基づいてベースシーケンスのシフト済みシーケンスを決定することと、アップリンク制御情報をアップリンク制御メッセージ中で送信することと、ここで、アップリンク制御情報がシフト済みシーケンスに基づく、を行うためにプロセッサによって実行可能な命令を含み得る。
【００１０】
[0010]  本明細書で説明される方法、装置、および非一時的コンピュータ可読媒体のいくつかの例は、アップリンク制御情報のペイロードがスケジューリング要求（ＳＲ）、１ビット肯定応答、または２ビット肯定応答のうちの１つであり得ると識別し、識別されたペイロードに基づいてシフト済みシーケンスを決定するための、動作、特徴、手段、または命令をさらに含み得る。
【００１１】
[0011]  本明細書で説明される方法、装置、および非一時的コンピュータ可読媒体のいくつかの例では、アップリンク制御メッセージはショート物理アップリンク制御チャネルメッセージとしてフォーマットされ得、アップリンク制御情報のペイロードは１ビット肯定応答または２ビット肯定応答を含む。
【００１２】
[0012]  本明細書で説明される方法、装置、および非一時的コンピュータ可読媒体のいくつかの例では、アップリンク制御情報のペイロードは、ペイロードアップリンク制御情報に対応するシフト値に基づいてシフト済みシーケンスを決定するための動作、特徴、手段、または命令を含み得、シフト値は０または６の値を含む。
【００１３】
[0013]  本明細書で説明される方法、装置、および非一時的コンピュータ可読媒体のいくつかの例では、アップリンク制御情報は、ペイロードアップリンク制御情報に対応するシフト値に基づいてシフト済みシーケンスを決定するための動作、特徴、手段、または命令を含み得、シフト値は０、３、６、または９の値を含む。
【００１４】
[0014]  本明細書で説明される方法、装置、および非一時的コンピュータ可読媒体のいくつかの例では、アップリンク制御情報を決定することは、アップリンク制御情報中の肯定応答情報のサイズを決定するための動作、特徴、手段、または命令を含み得る。
【００１５】
[0015]  本明細書で説明される方法、装置、および非一時的コンピュータ可読媒体のいくつかの例では、ＵＥ固有初期シフトを示すシグナリングを受信することは、ＵＥ固有初期シフトの明示的な指示を受信するための動作、特徴、手段、または命令を含み得る。
【００１６】
[0016]  本明細書で説明される方法、装置、および非一時的コンピュータ可読媒体のいくつかの例では、明示的な指示は、ＤＣＩメッセージのＡＣＫリソースインジケータ（ＡＲＩ：ACK resource indicator）ビット内に含まれ得る。
【００１７】
[0017]  本明細書で説明される方法、装置、および非一時的コンピュータ可読媒体のいくつかの例では、ＡＲＩビットの数は、２をＡＲＩビットの数で累乗した値がアップリンク制御メッセージのために構成されたリソースの数よりも大きくなり得るような、十分に多い数であり得る。
【００１８】
[0018]  本明細書で説明される方法、装置、および非一時的コンピュータ可読媒体のいくつかの例では、ＵＥ固有初期シフトを示すシグナリングを受信することは、ＵＥ固有初期シフトの導出元となり得るＣＣＥインデックスを有するダウンリンクグラント制御メッセージを受信するための動作、特徴、手段、または命令を含み得る。
【００１９】
[0019]  本明細書で説明される方法、装置、および非一時的コンピュータ可読媒体のいくつかの例は、ダウンリンクグラント制御メッセージのＣＣＥインデックスに基づいてＵＥ固有初期シフトについてのＲＢインデックスおよびシフトインデックスを導出するための動作、特徴、手段、または命令をさらに含み得る。
【００２０】
[0020]  本明細書で説明される方法、装置、および非一時的コンピュータ可読媒体のいくつかの例では、ＵＥ固有初期シフトを示すシグナリングを受信することは、アップリンク制御メッセージのために構成されたリソースのサブセットの明示的な指示を受信することと、ＣＣＥインデックスを有するダウンリンクグラント制御メッセージを受信することと、リソースのサブセットに適用されたＣＣＥインデックスに基づいてＵＥ固有初期シフトについてのＲＢインデックスおよびシフトインデックスを導出することとを行うための動作、特徴、手段、または命令を含み得る。
【００２１】
[0021]  本明細書で説明される方法、装置、および非一時的コンピュータ可読媒体のいくつかの例では、明示的な指示は、ＤＣＩメッセージのＡＲＩビット内に含まれ得る。
【００２２】
[0022]  本明細書で説明される方法、装置、および非一時的コンピュータ可読媒体のいくつかの例では、ＡＲＩビットの数は、２をＡＲＩビットの数で累乗した値がアップリンク制御メッセージのために構成されたリソースの数よりも小さくなり得るような数であり得る。
【００２３】
[0023]  本明細書で説明される方法、装置、および非一時的コンピュータ可読媒体のいくつかの例は、ＵＥ固有初期シフトおよびアップリンク制御情報に基づいて１つまたは複数のシフト済みシーケンスを決定し、アップリンク制御メッセージのペイロードに基づいて１つまたは複数のシフト済みシーケンスからシフト済みシーケンスを選択するための、動作、特徴、手段、または命令をさらに含み得る。
【００２４】
[0024]  本明細書で説明される方法、装置、および非一時的コンピュータ可読媒体のいくつかの例は、１つまたは複数のシフト済みシーケンスからのシフト済みシーケンスの選択をランダム化するための動作、特徴、手段、または命令をさらに含み得る。
【００２５】
[0025]  ワイヤレス通信の方法について説明される。本方法は、アップリンク制御メッセージの送信のためのベースシーケンスに適用されることになるＵＥ固有初期シフトを示すシグナリングをＵＥに送信することと、アップリンク制御情報をアップリンク制御メッセージ中で受信することと、ここで、アップリンク制御情報が、ＵＥ固有初期シフトとアップリンク制御情報のペイロードとに従ってベースシーケンスに対してシフトされたシフト済みシーケンスに基づく、を含み得る。
【００２６】
[0026]  ワイヤレス通信のための装置について説明される。本装置は、プロセッサと、プロセッサと電子通信しているメモリと、メモリに記憶された命令とを含み得る。命令は、アップリンク制御メッセージの送信のためのベースシーケンスに適用されることになるＵＥ固有初期シフトを示すシグナリングをＵＥに送信することと、アップリンク制御情報をアップリンク制御メッセージ中で受信することと、ここで、アップリンク制御情報が、ＵＥ固有初期シフトとアップリンク制御情報のペイロードとに従ってベースシーケンスに対してシフトされたシフト済みシーケンスに基づく、を装置にさせるためにプロセッサによって実行可能であり得る。
【００２７】
[0027]  ワイヤレス通信のための別の装置について説明される。本装置は、アップリンク制御メッセージの送信のためのベースシーケンスに適用されることになるＵＥ固有初期シフトを示すシグナリングをＵＥに送信するための手段と、アップリンク制御情報をアップリンク制御メッセージ中で受信するための手段と、ここで、アップリンク制御情報が、ＵＥ固有初期シフトとアップリンク制御情報のペイロードとに従ってベースシーケンスに対してシフトされたシフト済みシーケンスに基づく、を含み得る。
【００２８】
[0028]  ワイヤレス通信のためのコードを記憶した非一時的コンピュータ可読媒体について説明される。コードは、アップリンク制御メッセージの送信のためのベースシーケンスに適用されることになるＵＥ固有初期シフトを示すシグナリングをＵＥに送信することと、アップリンク制御情報をアップリンク制御メッセージ中で受信することと、ここで、アップリンク制御情報が、ＵＥ固有初期シフトとアップリンク制御情報のペイロードとに従ってベースシーケンスに対してシフトされたシフト済みシーケンスに基づく、を行うためにプロセッサによって実行可能な命令を含み得る。
【００２９】
[0029]  本明細書で説明される方法、装置、および非一時的コンピュータ可読媒体のいくつかの例では、アップリンク制御メッセージはショート物理アップリンク制御チャネルメッセージとしてフォーマットされ得、アップリンク制御情報のペイロードは１ビット肯定応答または２ビット肯定応答を含む。
【００３０】
[0030]  本明細書で説明される方法、装置、および非一時的コンピュータ可読媒体のいくつかの例では、ＵＥ固有初期シフトを示すシグナリングを送信することは、ＵＥ固有初期シフトの明示的な指示を送信するための動作、特徴、手段、または命令を含み得る。
【００３１】
[0031]  本明細書で説明される方法、装置、および非一時的コンピュータ可読媒体のいくつかの例では、明示的な指示は、ＤＣＩメッセージのＡＲＩビット内に含まれ得る。
【００３２】
[0032]  本明細書で説明される方法、装置、および非一時的コンピュータ可読媒体のいくつかの例では、ＡＲＩビットの数は、２をＡＲＩビットの数で累乗した値がアップリンク制御メッセージのために構成されたリソースの数よりも大きくなり得るような、十分に多い数であり得る。
【００３３】
[0033]  本明細書で説明される方法、装置、および非一時的コンピュータ可読媒体のいくつかの例は、追加のシグナリングを異なるＵＥに送信するための動作、特徴、手段、または命令をさらに含み得、追加のシグナリングは、アップリンク制御メッセージの送信間の干渉がランダム化され得るような、異なるＵＥの各々によってベースシーケンスに適用されることになる異なるＵＥ固有初期シフトを示す。
【００３４】
[0034]  本明細書で説明される方法、装置、および非一時的コンピュータ可読媒体のいくつかの例では、ＵＥ固有初期シフトを示すシグナリングを送信することは、ＵＥ固有初期シフトの導出元となり得るＣＣＥインデックスを有するダウンリンクグラント制御メッセージを送信するための動作、特徴、手段、または命令を含み得る。
【００３５】
[0035]  本明細書で説明される方法、装置、および非一時的コンピュータ可読媒体のいくつかの例では、ＵＥ固有初期シフトを示すシグナリングを送信することは、アップリンク制御メッセージのために構成されたリソースのサブセットの明示的な指示を送信することと、リソースのサブセットに適用されたＣＣＥインデックスに基づいてＵＥ固有初期シフトについてのＲＢインデックスおよびシフトインデックスが導出されることが可能であり得るようなＣＣＥインデックスを有するダウンリンクグラント制御メッセージを送信することとを行うための動作、特徴、手段、または命令を含み得る。
【００３６】
[0036]  本明細書で説明される方法、装置、および非一時的コンピュータ可読媒体のいくつかの例では、明示的な指示は、ＤＣＩメッセージのＡＲＩビット内に含まれ得る。
【００３７】
[0037]  本明細書で説明される方法、装置、および非一時的コンピュータ可読媒体のいくつかの例では、ＡＲＩビットの数は、２をＡＲＩビットの数で累乗した値がアップリンク制御メッセージのために構成されたリソースの数よりも小さくなり得るような数であり得る。
【図面の簡単な説明】
【００３８】
【図１】本開示の態様による、アップリンク制御チャネル送信のためのユーザ機器（ＵＥ）シフトランダム化をサポートするワイヤレス通信のためのシステムの一例を示す図。
【図２Ａ】本開示の態様による、アップリンク制御チャネル送信のためのＵＥシフトランダム化をサポートするシステムにおける仮説の例を示す図。
【図２Ｂ】本開示の態様による、アップリンク制御チャネル送信のためのＵＥシフトランダム化をサポートするシステムにおけるＵＥ固有シフトの例を示す図。
【図３】本開示の態様による、アップリンク制御チャネル送信のためのＵＥシフトランダム化をサポートするプロセスフローの一例を示す図。
【図４】本開示の態様による、アップリンク制御チャネル送信のためのＵＥシフトランダム化をサポートするデバイスのブロック図。
【図５】本開示の態様による、アップリンク制御チャネル送信のためのＵＥシフトランダム化をサポートするデバイスのブロック図。
【図６】本開示の態様による、アップリンク制御チャネル送信のためのＵＥシフトランダム化をサポートするデバイスのブロック図。
【図７】本開示の態様による、アップリンク制御チャネル送信のためのＵＥシフトランダム化をサポートするＵＥを含むシステムのブロック図。
【図８】本開示の態様による、アップリンク制御チャネル送信のためのＵＥシフトランダム化をサポートするデバイスのブロック図。
【図９】本開示の態様による、アップリンク制御チャネル送信のためのＵＥシフトランダム化をサポートするデバイスのブロック図。
【図１０】本開示の態様による、アップリンク制御チャネル送信のためのＵＥシフトランダム化をサポートするデバイスのブロック図。
【図１１】本開示の態様による、アップリンク制御チャネル送信のためのＵＥシフトランダム化をサポートする基地局を含むシステムのブロック図。
【図１２】本開示の態様による、アップリンク制御チャネル送信のためのＵＥシフトランダム化のための方法を示す図。
【図１３】本開示の態様による、アップリンク制御チャネル送信のためのＵＥシフトランダム化のための方法を示す図。
【詳細な説明】
【００３９】
[0046]  ワイヤレスシステム中のユーザ機器（ＵＥ）は、アップリンク制御情報を基地局に送信し得る。例えば、ＵＥは、物理アップリンク制御チャネル（ＰＵＣＣＨ）上で送信されるアップリンク制御情報を使用して、スケジューリング要求（ＳＲ：scheduling request）またはフィードバック情報（例えば、ハイブリッド自動再送要求（ＨＡＲＱフィードバック）を送信し得る。しかし、場合によっては、複数のＵＥがセル内の同じリソース（ここで、リソースは、異なるシンボルインデックス、異なるリソースブロック（ＲＢ：resource block）インデックス、および異なるシフトインデックスで一意に識別され得る）上で多重化されているとき、異なるＵＥによるアップリンク制御情報送信がセル内干渉を引き起こすことがある。例えば、同じセルからのＵＥが同じＲＢ中で多重化されているときなどに、フォーマット０を使用するＰＵＣＣＨ送信（これは１つまたは２つのアップリンク制御情報（ＵＣＩ：uplink control information）ビットのみを有し得る）について、複数のＵＥ間でセル内干渉があることがある。
【００４０】
[0047]  本明細書で説明されるように、異なるＵＥ間のセル内干渉が緩和されるような、アップリンク制御情報に使用されるシーケンスをランダム化するための技法が利用され得る。例えば、シーケンスベースのアップリンク制御メッセージの送信に使用されるシフトのランダム化があり得、これはまた、複雑度の低い技法を使用して干渉をランダム化し得る。いくつかの場合には、シーケンスベースの制御メッセージのためのシフトは、ＵＥ固有であり得、様々な技法に従って示され得る。例えば、初期シフトが、明示的に示され得るか、または暗黙的にマッピングされ得るか、またはこれらの組合せであり得る。いくつかの例では、ダウンリンク制御メッセージ(downlink control message)中のある数のビットを使用した、シフトの明示的な指示があり得る。そのような場合、肯定応答／否定応答（ＡＣＫ／ＮＡＣＫ）リソースインジケータ（ＡＲＩ：acknowledgment/negative acknowledgment resource indicator）ビットが、ランダムな初期シフトの明示的な指示に使用され得る。追加または代替として、ダウンリンクグラント制御メッセージ（例えば、物理ダウンリンク制御チャネル（ＰＤＣＣＨ：physical downlink control channel）上でＵＥによって受信される）のＣＣＥインデックスに基づく暗黙的なマッピングがあり得る。他の例では、指示は、無線リソース制御（ＲＲＣ：radio resource control）シグナリングを介して提供され得る。追加または代替として、明示的と暗黙的なマッピングとの組合せがあり得、ここで、リソースのサブセットは明示的に示されてよく、サブセット内の特定のリソースは暗黙的に（例えば、ＣＣＥインデックスに）マッピングされてよく、特定のリソースから（例えば、シンボルインデックスに少なくとも部分的に基づいて）シフト済みシーケンスが決定され得る。
【００４１】
[0048]  最初に、本開示の態様がワイヤレス通信システムのコンテキストにおいて説明される。さらに、本開示の態様が、アップリンク制御チャネル送信のためのＵＥシフトランダム化に関する装置図、システム図、およびフローチャートによって示され、またそれらを参照しながら説明される。
【００４２】
[0049]  図１に、本開示の様々な態様による、ワイヤレス通信システム１００の一例を示す。ワイヤレス通信システム１００は、基地局１０５と、ＵＥ１１５と、コアネットワーク１３０とを含む。いくつかの例では、ワイヤレス通信システム１００は、ロングタームエボリューション（ＬＴＥ）ネットワーク、ＬＴＥアドバンスト（ＬＴＥ−Ａ）ネットワーク、ＬＴＥ−Ａ  Ｐｒｏネットワーク、またはＮＲネットワークであり得る。場合によっては、ワイヤレス通信システム１００は、拡張ブロードバンド通信、超高信頼（例えば、ミッションクリティカル）通信、低レイテンシ通信、または低コストおよび低複雑度デバイスを用いた通信をサポートし得る。
【００４３】
[0050]  基地局１０５は、１つまたは複数の基地局アンテナを介してＵＥ１１５とワイヤレスに通信し得る。本明細書で説明される基地局１０５は、基地トランシーバ局、無線基地局、アクセスポイント、無線トランシーバ、ノードＢ、ｅノードＢ（ｅＮＢ）、（いずれもｇＮＢと呼ばれることがある）次世代ノードＢもしくはギガノードＢ、ホームノードＢ、ホームｅノードＢ、または何らかの他の好適な用語を含み得るか、または当業者によってそれらで呼ばれることがある。ワイヤレス通信システム１００は、異なるタイプの基地局１０５（例えば、マクロセル基地局またはスモールセル基地局）を含み得る。本明細書で説明されるＵＥ１１５は、マクロｅＮＢ、スモールセルｅＮＢ、ｇＮＢ、リレー基地局などを含む様々なタイプの基地局１０５およびネットワーク機器と通信することが可能であり得る。
【００４４】
[0051]  各基地局１０５は、様々なＵＥ１１５との通信がサポートされ得る特定の地理的カバレージエリア１１０に関連付けられ得る。各基地局１０５は、通信リンク１２５を介してそれぞれの地理的カバレージエリア１１０に通信カバレージを与え得、基地局１０５とＵＥ１１５との間の通信リンク１２５は、１つまたは複数のキャリアを利用し得る。ワイヤレス通信システム１００に示されている通信リンク１２５は、ＵＥ１１５から基地局１０５へのアップリンク送信、または基地局１０５からＵＥ１１５へのダウンリンク送信を含み得る。ダウンリンク送信は順方向リンク送信と呼ばれることもあり、一方アップリンク送信は逆方向リンク送信と呼ばれることもある。
【００４５】
[0052]  基地局１０５のための地理的カバレージエリア１１０は、地理的カバレージエリア１１０の一部分のみを構成するセクタに分割され得、各セクタは、セルに関連付けられ得る。例えば、各基地局１０５は、マクロセル、スモールセル、ホットスポット、もしくは他のタイプのセル、またはそれらの様々な組合せに通信カバレージを与え得る。いくつかの例では、基地局１０５は、移動可能であり、従って、移動する地理的カバレージエリア１１０に通信カバレージを与え得る。いくつかの例では、異なる技術に関連付けられた異なる地理的カバレージエリア１１０が重複し得、異なる技術に関連付けられた重複する地理的カバレージエリア１１０は、同じ基地局１０５によってまたは異なる基地局１０５によってサポートされ得る。ワイヤレス通信システム１００は、異なるタイプの基地局１０５が様々な地理的カバレージエリア１１０にカバレージを与える、例えば、異種ＬＴＥ／ＬＴＥ−Ａ／ＬＴＥ−Ａ  ＰｒｏまたはＮＲネットワークを含み得る。
【００４６】
[0053]  「セル」という用語は、（例えば、キャリアを介した）基地局１０５との通信のために使用される論理通信エンティティを指し、同じまたは異なるキャリアを介して動作する隣接セルを区別するための識別子（例えば、物理セル識別子（ＰＣＩＤ：physical cell identifier）、仮想セル識別子（ＶＣＩＤ：virtual cell identifier）など）に関連付けられ得る。いくつかの例では、キャリアは、複数のセルをサポートし得、異なるセルは、異なるタイプのデバイスにアクセスを与え得る異なるプロトコルタイプ（例えば、マシン型通信（ＭＴＣ：machine-type communication）、狭帯域モノのインターネット（ＮＢ−ＩｏＴ：narrowband Internet-of-Things）、拡張モバイルブロードバンド（ｅＭＢＢ：enhanced mobile broadband）など）に従って構成され得る。場合によっては、「セル」という用語は、論理エンティティが動作する地理的カバレージエリア１１０の一部分（例えば、セクタ）を指すことがある。
【００４７】
[0054]  ＵＥ１１５は、ワイヤレス通信システム１００全体にわたって分散され得、各ＵＥ１１５は固定型または移動型であり得る。ＵＥ１１５は、モバイルデバイス、ワイヤレスデバイス、リモートデバイス、ハンドヘルドデバイス、もしくは加入者デバイス、または何らかの他の好適な用語で呼ばれることもあり、ここで、「デバイス」は、ユニット、局、端末、またはクライアントと呼ばれることもある。ＵＥ１１５はまた、セルラー電話、携帯情報端末（ＰＤＡ：personal digital assistant）、タブレットコンピュータ、ラップトップコンピュータ、またはパーソナルコンピュータなどのパーソナル電子デバイスであり得る。いくつかの例では、ＵＥ１１５はまた、器具、ビークル、メーターなどの様々な物品中に実装され得るワイヤレスローカルループ（ＷＬＬ：wireless local loop）局、モノのインターネット（ＩｏＴ）デバイス、全てのインターネット（ＩｏＥ）デバイス、またはＭＴＣデバイスなどを指すことがある。
【００４８】
[0055]  ＭＴＣデバイスまたはＩｏＴデバイスなど、いくつかのＵＥ１１５は、低コストまたは低複雑度デバイスであり得、（例えば、マシンツーマシン（Ｍ２Ｍ）通信を介した）マシン間の自動通信を与え得る。Ｍ２Ｍ通信またはＭＴＣは、デバイスが人の介入なしに互いにまたは基地局１０５と通信することを可能にするデータ通信技術を指すことがある。いくつかの例では、Ｍ２Ｍ通信またはＭＴＣは、情報を測定もしくはキャプチャするためにセンサーもしくはメーターを組み込み、情報を利用できる、またはプログラムもしくはアプリケーションと対話する人間に情報を提示する、中央サーバもしくはアプリケーションプログラムにその情報を中継する、デバイスからの通信を含み得る。いくつかのＵＥ１１５は、情報を集めるか、またはマシンの自動化された挙動を可能にするように設計され得る。ＭＴＣデバイスのための適用例の例は、スマートメータリング、インベントリ監視、水位監視、機器監視、ヘルスケア監視、野生生物監視、天候および地質学的事象監視、フリート管理およびトラッキング、リモートセキュリティ検知、物理的アクセス制御、ならびにトランザクションベースのビジネスの課金を含む。
【００４９】
[0056]  いくつかのＵＥ１１５は、半二重通信（例えば、送信と受信とを同時にではなく送信または受信を介した一方向通信をサポートするモード）などの電力消費量を低減する動作モードを採用するように構成され得る。いくつかの例では、半二重通信は、低減されたピークレートで行われ得る。ＵＥ１１５のための他の電力節約技法は、アクティブ通信に従事していないときに電力節約する「ディープスリープ」モードに入ること、または（例えば、狭帯域通信に従って）限定された帯域幅を介して動作することを含む。場合によっては、ＵＥ１１５は、重要な機能（例えば、ミッションクリティカルな機能）をサポートするように設計され得、ワイヤレス通信システム１００は、これらの機能に超高信頼通信を与えるように構成され得る。
【００５０】
[0057]  場合によっては、ＵＥ１１５は、（例えば、ピアツーピア（Ｐ２Ｐ：peer-to-peer）またはデバイス間（Ｄ２Ｄ：device-to-device）プロトコルを使用して）他のＵＥ１１５と直接通信することも可能であり得る。Ｄ２Ｄ通信を利用するＵＥ１１５のグループのうちの１つまたは複数は、基地局１０５の地理的カバレージエリア１１０内にあり得る。そのようなグループ中の他のＵＥ１１５は、基地局１０５の地理的カバレージエリア１１０外にあるか、またはさもなければ、基地局１０５からの送信を受信できないことがある。場合によっては、Ｄ２Ｄ通信を介して通信するＵＥ１１５のグループは、各ＵＥ１１５がグループ中のあらゆる他のＵＥ１１５に送信する１対多（１：Ｍ(one-to-many)）システムを利用し得る。場合によっては、基地局１０５が、Ｄ２Ｄ通信のためのリソースのスケジューリングを促進する。他の場合には、Ｄ２Ｄ通信は、基地局１０５の関与なしにＵＥ１１５との間で行われる。
【００５１】
[0058]  基地局１０５は、コアネットワーク１３０とおよび互いに通信し得る。例えば、基地局１０５は、バックホールリンク１３２を通して（例えば、Ｓ１または他のインターフェースを介して）コアネットワーク１３０とインターフェースし得る。基地局１０５は、直接（例えば、基地局１０５間で直接）または間接的に（例えば、コアネットワーク１３０を介して）バックホールリンク１３４を介して（例えば、Ｘ２または他のインターフェースを介して）互いに通信し得る。
【００５２】
[0059]  コアネットワーク１３０は、ユーザ認証と、アクセス許可と、トラッキングと、インターネットプロトコル（ＩＰ：Internet Protocol）接続性と、他のアクセス、ルーティング、またはモビリティ機能とを与え得る。コアネットワーク１３０は、少なくとも１つのモビリティ管理エンティティ（ＭＭＥ：mobility management entity）と、少なくとも１つのサービングゲートウェイ（Ｓ−ＧＷ：serving gateway）と、少なくとも１つのパケットデータネットワーク（ＰＤＮ）ゲートウェイ（Ｐ−ＧＷ：Packet Data Network gateway）とを含む場合がある発展型パケットコア（ＥＰＣ：evolved packet core）であり得る。ＭＭＥは、ＥＰＣに関連付けられた基地局１０５によってサービスされるＵＥ１１５のためのモビリティ、認証、およびベアラ管理などの非アクセス層（例えば、制御プレーン）機能を管理し得る。ユーザＩＰパケットはＳ−ＧＷを介して転送され得、Ｓ−ＧＷ自体はＰ−ＧＷに接続され得る。Ｐ−ＧＷはＩＰアドレス割振りならびに他の機能を与え得る。Ｐ−ＧＷは、ネットワーク事業者ＩＰサービスに接続され得る。ネットワーク事業者ＩＰサービスは、インターネット、イントラネット、ＩＰマルチメディアサブシステム（ＩＭＳ：IP Multimedia Subsystem）、またはパケット交換（ＰＳ：Packet-Switched）ストリーミングサービスへのアクセスを含み得る。
【００５３】
[0060]  基地局１０５など、ネットワークデバイスのうちの少なくともいくつかは、アクセスノードコントローラ（ＡＮＣ：access node controller）の一例であり得る、アクセスネットワークエンティティなど、副構成要素を含み得る。各アクセスネットワークエンティティは、無線ヘッド、スマート無線ヘッド、または送信／受信ポイント（ＴＲＰ：transmission/reception point）と呼ばれることがあるいくつかの他のアクセスネットワーク送信エンティティを通してＵＥ１１５と通信し得る。いくつかの構成では、各アクセスネットワークエンティティまたは基地局１０５の様々な機能は、様々なネットワークデバイス（例えば、無線ヘッドおよびアクセスネットワークコントローラ）にわたって分散されるか、または単一のネットワークデバイス（例えば、基地局１０５）に統合され得る。
【００５４】
[0061]  ワイヤレス通信システム１００は、通常、３００メガヘルツ（ＭＨｚ）〜３００ギガヘルツ（ＧＨｚ）の範囲の１つまたは複数の周波数帯域を使用して動作し得る。概して、３００ＭＨｚから３ＧＨｚまでの領域は、波長が約１デシメートルから１メートルまでの長さの範囲なので、極超短波（ＵＨＦ）領域またはデシメートル帯域として知られている。ＵＨＦ波は、建物および環境特徴によってブロックまたはリダイレクトされる場合がある。しかしながら、波は、マクロセルが屋内に位置するＵＥ１１５にサービスを提供するために構造を十分に透過し得る。ＵＨＦ波の送信は、３００ＭＨｚを下回るスペクトルの高周波（ＨＦ）または超短波（ＶＨＦ）部分のより小さい周波数およびより長い波を使用する送信と比較してより小さいアンテナおよびより短い距離（例えば、１００ｋｍ未満）に関連付けられ得る。
【００５５】
[0062]  ワイヤレス通信システム１００はまた、センチメートル帯域としても知られる３ＧＨｚから３０ＧＨｚまでの周波数帯域を使用して超高周波（ＳＨＦ：super high frequency）領域で動作し得る。ＳＨＦ領域は、他のユーザからの干渉を許容できるデバイスによって機会主義的に使用され得る、５ＧＨｚ産業科学医療用（ＩＳＭ）帯域などの帯域を含む。
【００５６】
[0063]  ワイヤレス通信システム１００はまた、ミリメートル帯域としても知られる（例えば、２５ＧＨｚから３００ＧＨｚまでの）スペクトルの極高周波（ＥＨＦ：extremely high frequency）領域で動作し得る。いくつかの例では、ワイヤレス通信システム１００は、ＵＥ１１５と基地局１０５との間のミリメートル波（ｍｍＷ）通信をサポートし得、それぞれのデバイスのＥＨＦアンテナは、ＵＨＦアンテナよりもさらに小さく、さらに狭い間隔にあり得る。場合によっては、これは、ＵＥ１１５内でのアンテナアレイの使用を容易にし得る。しかしながら、ＥＨＦ送信の伝搬は、ＳＨＦ送信またはＵＨＦ送信よりさらに大きい大気減衰および短い距離を被る場合がある。本明細書で開示された技法は、１つまたは複数の異なる周波数領域を使用する送信にわたって採用されてよく、これらの周波数領域にわたる帯域の指定された使用は、国または規制団体によって異なる場合がある。
【００５７】
[0064]  場合によっては、ワイヤレス通信システム１００は、認可無線周波数スペクトル帯域と無認可無線周波数スペクトル帯域の両方を利用し得る。例えば、ワイヤレス通信システム１００は、５ＧＨｚのＩＳＭ帯域などの無認可帯域中でライセンス支援型アクセス（ＬＡＡ：License Assisted Access）、ＬＴＥ−無認可（ＬＴＥ−Ｕ）無線アクセス技術またはＮＲ技術を採用し得る。無認可無線周波数スペクトル帯域中で動作するとき、基地局１０５およびＵＥ１１５などのワイヤレスデバイスは、データを送信する前に周波数チャネルがクリアであることを保証するために、リッスンビフォアトーク（ＬＢＴ：listen-before-talk）プロシージャを採用し得る。場合によっては、無認可帯域中の動作は、認可帯域（例えば、ＬＡＡ）中で動作するＣＣとともに、ＣＡ構成に基づき得る。無認可スペクトルにおける動作は、ダウンリンク送信、アップリンク送信、ピアツーピア送信、またはこれらの組合せを含み得る。無認可スペクトル中の複信は、周波数分割複信（ＦＤＤ）、時分割複信（ＴＤＤ）、またはその両方の組合せに基づき得る。
【００５８】
[0065]  いくつかの例では、基地局１０５またはＵＥ１１５は、複数のアンテナを装備し得、複数のアンテナは、送信ダイバーシティ、受信ダイバーシティ、多入力多出力（ＭＩＭＯ）通信、またはビームフォーミングなどの技法を採用するために使用され得る。例えば、ワイヤレス通信システム１００は、送信デバイス（例えば、基地局１０５）と受信デバイス（例えば、ＵＥ１１５）との間で送信方式を使用し得、ここで、送信デバイスは、複数のアンテナを装備し、受信デバイスは、１つまたは複数のアンテナを装備する。ＭＩＭＯ通信は、様々な空間レイヤを介して複数の信号を送信または受信することにより、スペクトル効率を上げるためにマルチパス信号伝搬を採用でき、それは空間多重化と呼ばれる場合がある。複数の信号は、例えば、異なるアンテナまたはアンテナの異なる組合せを介して送信デバイスによって送信され得る。同様に、複数の信号は、異なるアンテナまたはアンテナの異なる組合せを介して受信デバイスによって受信され得る。複数の信号の各々は、別個の空間ストリームと呼ばれることがあり、同じデータストリーム（例えば、同じコードワード）または異なるデータストリームに関連付けられたビットを搬送し得る。異なる空間レイヤは、チャネル測定および報告のために使用される異なるアンテナポートに関連付けられ得る。ＭＩＭＯ技法には、複数の空間レイヤが同じ受信デバイスに送信されるシングルユーザＭＩＭＯ（ＳＵ−ＭＩＭＯ：single-user MIMO）、および複数の空間レイヤが複数のデバイスに送信されるマルチユーザＭＩＭＯ（ＭＵ−ＭＩＭＯ：multiple-user MIMO）が含まれる。
【００５９】
[0066]  空間フィルタ処理、指向性送信、または指向性受信と呼ばれることもあるビームフォーミングは、送信デバイスと受信デバイスとの間の空間経路に沿ってアンテナビーム（例えば、送信ビームまたは受信ビーム）を成形または誘導するために送信デバイスまたは受信デバイス（例えば、基地局１０５またはＵＥ１１５）において使用され得る信号処理技法である。ビームフォーミングは、アンテナアレイに対して特定の向きに伝搬する信号が強め合う干渉を受ける一方で他のものが弱め合う干渉を受けるようにアンテナアレイのアンテナ要素を介して通信される信号を組み合わせることによって達成され得る。アンテナ要素を介して通信される信号の調整は、デバイスに関連付けられたアンテナ要素の各々を介して搬送される信号にある振幅および位相オフセットを適用する送信デバイスまたは受信デバイスを含み得る。アンテナ要素の各々に関連付けられた調整は、（例えば、送信デバイスもしくは受信デバイスのアンテナアレイに対して、またはいくつかの他の向きに対して）特定の向きに関連付けられたビームフォーミング重みセットによって定義され得る。
【００６０】
[0067]  一例では、基地局１０５は、ＵＥ１１５との指向性通信のためのビームフォーミング動作を行うために、複数のアンテナまたはアンテナアレイを使用し得る。例えば、いくつかの信号（例えば、同期信号、基準信号、ビーム選択信号、または他の制御信号）は、異なる方向に複数回基地局１０５によって送信され得、送信の異なる方向に関連付けられた異なるビームフォーミング重みセットに従って送信されている信号を含み得る。異なるビーム方向への送信は、基地局１０５によって後続の送信および／または受信のためのビーム方向を識別するために（例えば、基地局１０５またはＵＥ１１５などの受信デバイスによって）使用され得る。特定の受信デバイスに関連付けられたデータ信号などのいくつかの信号は、単一のビーム方向（例えば、ＵＥ１１５などの受信デバイスに関連付けられた方向）に基地局１０５によって送信され得る。いくつかの例では、単一のビーム方向に沿った送信に関連付けられたビーム方向は、異なるビーム方向に送信された信号に少なくともイン部分的に基づいて決定され得る。例えば、ＵＥ１１５は、異なる方向に基地局１０５によって送信された信号のうちの１つまたは複数を受信し得、ＵＥ１１５は、それが最高の信号品質または別様の許容できる信号品質で受信した信号の指示を基地局１０５に報告し得る。これらの技法について、基地局１０５によって１つまたは複数の方向に送信される信号に関して説明するが、ＵＥ１１５は、（例えば、ＵＥ１１５による後続の送信または受信のためのビーム方向を識別するために）異なる方向に複数回信号を送信すること、または（例えば、受信デバイスにデータを送信するために）単一の方向に信号を送信することを行うために同様の技法を採用し得る。
【００６１】
[0068]  受信デバイス（例えば、ｍｍＷの受信デバイスの一例であり得るＵＥ１１５）は、同期信号、基準信号、ビーム選択信号、または他の制御信号などの基地局１０５からの様々な信号を受信するときに複数の受信ビームを試み得る。例えば、受信デバイスは、異なるアンテナサブアレイを介して受信することによって、異なるアンテナサブアレイに従って受信信号を処理することによって、アンテナアレイの複数のアンテナ要素において受信された信号に適用される異なる受信ビームフォーミング重みセットに従って受信することによって、またはアンテナアレイの複数のアンテナ要素において受信された信号に適用される異なる受信ビームフォーミング重みセットに従って受信信号を処理することによって複数の受信方向を試み得、それらのいずれも、異なる受信ビームまたは受信方向に従って「リッスンすること」と呼ばれることがある。いくつかの例では、受信デバイスは、（例えば、データ信号を受信するときに）単一のビーム方向に沿って受信するために単一の受信ビームを使用し得る。単一の受信ビームは、異なる受信ビーム方向（例えば、複数のビーム方向に従ってリッスンすることに少なくとも部分的に基づいて最も高い信号強度、最も高い信号対雑音比、またはさもなければ許容できる信号品質を有すると決定されたビーム方向）に従ってリッスンすることに少なくとも部分的に基づいて決定されたビーム方向に整列され得る。
【００６２】
[0069]  場合によっては、基地局１０５またはＵＥ１１５のアンテナは、ＭＩＭＯ動作または送信もしくは受信ビームフォーミングをサポートし得る１つまたは複数のアンテナアレイ内に位置し得る。例えば、１つまたは複数の基地局アンテナまたはアンテナアレイは、アンテナ塔などのアンテナアセンブリにコロケートされ得る。場合によっては、基地局１０５に関連付けられたアンテナまたはアンテナアレイは、多様な地理的位置に配置され得る。基地局１０５は、ＵＥ１１５との通信のビームフォーミングをサポートするために基地局１０５が使用し得るアンテナポートのいくつかの行および列をもつアンテナアレイを有し得る。同様に、ＵＥ１１５は、様々なＭＩＭＯまたはビームフォーミング動作をサポートし得る１つまたは複数のアンテナアレイを有し得る。
【００６３】
[0070]  場合によっては、ワイヤレス通信システム１００は、階層化プロトコルスタックに従って動作するパケットベースのネットワークであり得る。ユーザプレーンでは、ベアラまたはパケットデータコンバージェンスプロトコル（ＰＤＣＰ：Packet Data Convergence Protocol）レイヤにおける通信は、ＩＰベースであり得る。無線リンク制御（ＲＬＣ：Radio Link Control）レイヤは、場合によっては、論理チャネル上で通信するために、パケットのセグメンテーションおよびリアセンブリを行い得る。媒体アクセス制御（ＭＡＣ：Medium Access Control）レイヤは、優先度処理、およびトランスポートチャネルへの論理チャネルの多重化を行い得る。ＭＡＣレイヤはまた、リンク効率を改善するためにＭＡＣレイヤにおいて再送信を行うためにハイブリッド自動再送要求（ＨＡＲＱ）を使用し得る。制御プレーンでは、無線リソース制御（ＲＲＣ）プロトコルレイヤが、ユーザプレーンデータのための無線ベアラをサポートする、ＵＥ１１５と基地局１０５またはコアネットワーク１３０との間のＲＲＣ接続の確立と構成と維持とを行い得る。物理（ＰＨＹ：Physical）レイヤにおいて、トランスポートチャネルは物理チャネルにマッピングされ得る。
【００６４】
[0071]  場合によっては、ＵＥ１１５および基地局１０５は、データが正常に受信される可能性を増加させるためにデータの再送信をサポートし得る。ＨＡＲＱフィードバックは、データが通信リンク１２５を介して正しく受信される可能性を増加させる１つの技法である。ＨＡＲＱは、（例えば、巡回冗長検査（ＣＲＣ：cyclic redundancy check）を使用する）誤り検出、前方誤り訂正（ＦＥＣ：forward error correction）、および再送信（例えば、自動再送要求（ＡＲＱ：automatic repeat request））の組合せを含み得る。ＨＡＲＱは、劣悪な無線状態（例えば、信号対雑音状態）でのＭＡＣレイヤにおけるスループットを改善し得る。場合によっては、ワイヤレスデバイスは、デバイスがスロット中の前のシンボル中で受信されたデータについて特定のスロット中でＨＡＲＱフィードバックを与え得る同スロットＨＡＲＱフィードバックをサポートし得る。他の場合には、デバイスは、後続のスロット中でまたは何らかの他の時間間隔に従ってＨＡＲＱフィードバックを与え得る。
【００６５】
[0072]  ＬＴＥまたはＮＲにおける時間間隔は、例えば、Ｔs＝１／３０，７２０，０００秒のサンプリング周期を指す基本時間単位の倍数で表され得る。通信リソースの時間間隔は、各々が１０ミリ秒（ｍｓ）の持続時間を有する無線フレームに従って編成され得、ここで、フレーム周期は、Ｔf＝３０７，２００Ｔsとして表され得る。無線フレームは、０から１０２３までにわたるシステムフレーム番号（ＳＦＮ）によって識別され得る。各フレームは、０から９まで番号付けされた１０個のサブフレームを含み得、各サブフレームは、１ｍｓの持続時間を有し得る。サブフレームは、各々が０．５ｍｓの持続時間を有する２つのスロットにさらに分割され得、各スロットは、（例えば、各シンボル期間にプリペンドされたサイクリックプレフィックスの長さに応じて）６つまたは７つの変調シンボル期間を含み得る。サイクリックプレフィックスを除いて、各シンボル期間は、２０４８個のサンプリング周期を含み得る。場合によっては、サブフレームは、ワイヤレス通信システム１００の最も小さいスケジューリングユニットであり得、送信時間間隔（ＴＴＩ：transmission time interval）と呼ばれることがある。他の場合には、ワイヤレス通信システム１００の最も小さいスケジューリングユニットは、サブフレームよりも短くなり得るか、または（例えば、短縮ＴＴＩ（ｓＴＴＩ）のバースト中でまたはｓＴＴＩを使用する選択されたコンポーネントキャリア中で）動的に選択され得る。
【００６６】
[0073]  いくつかのワイヤレス通信システムでは、スロットは、１つまたは複数のシンボルを含んでいる複数のミニスロットにさらに分割され得る。いくつかの事例では、ミニスロットのシンボルまたはミニスロットは、スケジューリングの最も小さい単位であり得る。例えば、各シンボルは、サブキャリア間隔または動作の周波数帯域に応じて持続時間中で変化し得る。さらに、いくつかのワイヤレス通信システムは、複数のスロットまたはミニスロットが互いにアグリゲートされ、ＵＥ１１５と基地局１０５との間の通信のために使用されるスロットアグリゲーションを実施し得る。
【００６７】
[0074]  「キャリア」という用語は、通信リンク１２５を介した通信をサポートするための定義された物理レイヤ構造を有する無線周波数スペクトルリソースのセットを指す。例えば、通信リンク１２５のキャリアは、所与の無線アクセス技術のための物理レイヤチャネルに従って動作する無線周波数スペクトル帯域の一部分を含み得る。各物理レイヤチャネルは、ユーザデータ、制御情報、または他のシグナリングを搬送し得る。キャリアは、あらかじめ定義された周波数チャネル（例えば、Ｅ−ＵＴＲＡ絶対無線周波数チャネル番号（ＥＡＲＦＣＮ：E-UTRA absolute radio frequency channel number））に関連付けられ得、ＵＥ１１５による発見のためのチャネルラスタに従って配置され得る。キャリアは、（例えば、ＦＤＤモードで）ダウンリンクまたはアップリンクであり得るか、または（例えば、ＴＤＤモードで）ダウンリンクおよびアップリンク通信を搬送するように構成され得る。いくつかの例では、キャリアを介して送信される信号波形は、（例えば、直交周波数分割多重（ＯＦＤＭ）またはＤＦＴ−ｓ−ＯＦＤＭなどのマルチキャリア変調（ＭＣＭ）技法を使用して）複数のサブキャリアから構成され得る。
【００６８】
[0075]  キャリアの組織構造は、無線アクセス技術（例えば、ＬＴＥ、ＬＴＥ−Ａ、ＬＴＥ−Ａ  Ｐｒｏ、ＮＲなど）ごとに異なり得る。例えば、キャリアを介した通信は、ＴＴＩまたはスロットに従って編成され得、その各々は、ユーザデータならびにユーザデータを復号するのをサポートするための制御情報またはシグナリングを含み得る。キャリアはまた、キャリアのための動作を協調させる専用の収集シグナリング（例えば、同期信号またはシステム情報など）と制御シグナリングとを含み得る。いくつかの例では（例えば、キャリアアグリゲーション構成では）、キャリアはまた、他のキャリアのための動作を協調させる収集シグナリングまたは制御シグナリングを有し得る。
【００６９】
[0076]  物理チャネルは、様々な技法に従ってキャリア上で多重化され得る。物理制御チャネルと物理データチャネルとは、例えば、時分割多重化（ＴＤＭ）技法、周波数分割多重化（ＦＤＭ）技法、またはハイブリッドＴＤＭ−ＦＤＭ技法を使用して、ダウンリンクキャリア上で多重化され得る。いくつかの例では、物理制御チャネル中で送信される制御情報は、カスケード方式で異なる制御領域間で（例えば、共通制御領域または共通探索空間と１つまたは複数のＵＥ固有制御領域またはＵＥ固有探索空間との間で）配信され得る。
【００７０】
[0077]  キャリアは、無線周波数スペクトルの特定の帯域幅に関連付けられ得、いくつかの例では、キャリア帯域幅は、キャリアまたはワイヤレス通信システム１００の「システム帯域幅」と呼ばれることがある。例えば、キャリア帯域幅は、特定の無線アクセス技術のキャリアのための所定のいくつかの帯域幅のうちの１つ（例えば、１．４、３、５、１０、１５、２０、４０、または８０ＭＨｚ）であり得る。いくつかの例では、各被サービスＵＥ１１５は、キャリア帯域幅の部分または全てを介して動作するように構成され得る。他の例では、いくつかのＵＥ１１５は、キャリア内のあらかじめ定義された部分または範囲（例えば、サブキャリアまたはＲＢのセット）に関連付けられる狭帯域プロトコルタイプを使用した動作（例えば、狭帯域プロトコルタイプの「帯域内」展開）のために構成され得る。
【００７１】
[0078]  ＭＣＭ技法を採用するシステムでは、リソース要素は、１つのシンボル期間（例えば、１つの変調シンボルの持続時間）と１つのサブキャリアからなり得、ここで、シンボル期間とサブキャリア間隔とは、逆関係にある。各リソース要素によって搬送されるビット数は、変調方式（例えば、変調方式の程度(order)）に依存し得る。従って、ＵＥ１１５が受信するリソース要素が多いほど、また変調方式の程度が高いほど、ＵＥ１１５のデータレートは高くなり得る。ＭＩＭＯシステムでは、ワイヤレス通信リソースは、無線周波数スペクトルリソース、時間リソース、および空間リソース（例えば、空間レイヤ）の組合せを指すことがあり、複数の空間レイヤの使用は、ＵＥ１１５との通信のためのデータレートをさらに増加させ得る。
【００７２】
[0079]  ワイヤレス通信システム１００のデバイス（例えば、基地局１０５またはＵＥ１１５）は、特定のキャリア帯域幅を介した通信をサポートするハードウェア構成を有し得るか、またはキャリア帯域幅のセットのうちの１つを介した通信をサポートするように構成可能であり得る。いくつかの例では、ワイヤレス通信システム１００は、２つ以上の異なるキャリア帯域幅に関連付けられたキャリアを介した同時通信をサポートできる基地局１０５および／またはＵＥ１１５を含み得る。
【００７３】
[0080]  ワイヤレス通信システム１００は、複数のセルまたはキャリア上でのＵＥ１１５との通信、すなわち、キャリアアグリゲーション（ＣＡ：carrier aggregation）またはマルチキャリア動作と呼ばれることがある特徴をサポートし得る。ＵＥ１１５は、キャリアアグリゲーション構成に従って複数のダウンリンクＣＣと１つまたは複数のアップリンクＣＣとで構成され得る。ＣＡは、ＦＤＤコンポーネントキャリアとＴＤＤコンポーネントキャリアの両方とともに使用され得る。
【００７４】
[0081]  場合によっては、ワイヤレス通信システム１００は、拡張コンポーネントキャリア（ｅＣＣ：enhanced component carrier）を利用し得る。ｅＣＣは、より広いキャリアもしくは周波数チャネル帯域幅、より短いシンボル持続時間、より短いＴＴＩ持続時間、または変更された制御チャネル構成を含む１つまたは複数の特徴によって特徴付けられ得る。場合によっては、ｅＣＣは、（例えば、複数のサービングセルが準最適または非理想バックホールリンクを有するときに）キャリアアグリゲーション構成またはデュアル接続性構成に関連付けられ得る。ｅＣＣはまた、（例えば、２つ以上の事業者がスペクトルを使用することを許可された場合）無認可スペクトルまたは共有スペクトル中で使用するように構成され得る。広いキャリア帯域幅によって特徴付けられるｅＣＣは、キャリア帯域幅全体を監視することが可能でないか、場合によっては（例えば、電力を節約するために）限られたキャリア帯域幅を使用するように構成されたＵＥ１１５によって利用され得る１つまたは複数のセグメントを含み得る。
【００７５】
[0082]  場合によっては、ｅＣＣは、他のＣＣとは異なるシンボル持続時間を利用し得、これは、他のＣＣのシンボル持続時間と比較して低減されたシンボル持続時間の使用を含み得る。より短いシンボル持続時間は、隣接するサブキャリア間の増加した間隔に関連付けられ得る。ｅＣＣを利用する、ＵＥ１１５または基地局１０５などのデバイスは、低減されたシンボル持続時間（例えば、１６．６７μｓ）で（例えば、２０、４０、６０、８０ＭＨｚなどの周波数チャネルまたはキャリア帯域幅に従って）広帯域信号を送信し得る。ｅＣＣ内のＴＴＩは、１つまたは複数のシンボル期間からなり得る。場合によっては、ＴＴＩ持続時間（すなわち、ＴＴＩ中のシンボル期間の数）は可変であり得る。
【００７６】
[0083]  ＮＲシステムなどのワイヤレス通信システムは、特に、認可スペクトル帯域、共有スペクトル帯域、および無認可スペクトル帯域の任意の組合せを利用し得る。ｅＣＣシンボル持続時間およびサブキャリア間隔の柔軟性により、複数のスペクトルにわたるｅＣＣの使用が可能になり得る。いくつかの例では、ＮＲ共有スペクトルは、詳細には、リソースの動的垂直（例えば、周波数にわたる）共有と水平（例えば、時間にわたる）共有とを通して、スペクトル利用率とスペクトル効率とを増加させ得る。
【００７７】
[0084]  ＰＵＣＣＨは、コードと２つの連続的なリソースブロックとによって定義される制御チャネルにマッピングされ得る。アップリンク制御シグナリングは、セルについてのタイミング同期の存在に依存し得る。スケジューリング要求（ＳＲ：scheduling request）とチャネル品質インジケータ（ＣＱＩ：channel quality indicator）報告とのためのＰＵＣＣＨリソースが、ＲＲＣシグナリングを通して割り当てられ得る（また、取り消され得る）。いくつかの場合には、ＳＲのためのリソースは、ランダムアクセスプロシージャを通して（例えば、ランダムアクセスチャネル（ＲＡＣＨ：random access channel）を使用して）同期を取得した後で割り当てられ得る。他の場合には、ＳＲは、ＲＡＣＨを通してＵＥ１１５に割り当てられないことがある（すなわち、同期されたＵＥは、専用のＳＲチャネルを有する場合と有さない場合がある）。ＵＥ１１５がもはや同期されなくなったとき、ＳＲとＣＱＩとのためのＰＵＣＣＨリソースは失われ得る。
【００７８】
[0085]  ワイヤレス通信システム１００は、アップリンク制御情報を送信するのに使用されるベースシーケンスのランダム化されたシフトの使用をサポートし得、これは、異なるＵＥ１１５間の干渉の低減につながり得る。例えば、ＵＥ１１５は、アップリンクメッセージの送信に使用されるベースシーケンスを識別し得る。ＵＥ１１５はまた、識別されたベースシーケンスに適用され得るＵＥ固有初期シフトを示唆するシグナリングを受信し得る。いくつかの場合には、シグナリングは、明示的（例えば、受信された制御メッセージ中のいくつかのビットを使用する）であり得、または、ＣＣＥインデックスのマッピングに基づいて暗黙的であり得る。他の例では、ランダム化された初期シフトの指示に使用される明示的と暗黙的なマッピングとの組合せがあり得る。ＵＥ固有初期シフトおよびベースシーケンスに基づいて１つまたは複数のシフト済みシーケンスを決定した後、ＵＥ１１５は、アップリンク制御メッセージのペイロードに基づいてシフト済みシーケンスを選択し得る。例えば、スケジューリング要求、１ビットＡＣＫ、２ビットＡＣＫなどのそれぞれの送信に、異なるシフト済みシーケンスが使用され得る。ＵＥ１１５は、選択されたシフト済みシーケンスに基づくアップリンク制御メッセージを基地局１０５に送信し得、異なるＵＥ１１５が、同様に、基地局１０５へのそれら自体のそれぞれの送信のために異なる初期シフトを使用し得る。
【００７９】
[0086]  図２Ａおよび図２Ｂは、本開示の様々な態様による、アップリンク制御チャネル送信のためのＵＥシフトランダム化をサポートするシステムにおける仮説２００およびＵＥ固有シフト２０１の例をそれぞれ示す。いくつかの例では、仮説２００およびＵＥ固有シフト２０１は、ワイヤレス通信システム１００の態様により実施され得る。例えば、ＵＥ１１５は、制御情報を構成するシーケンスのランダム化済み初期シフトを使用して、アップリンク制御メッセージを送信し得る。そのような技法は、同じリソースを共有する（例えば、同じＲＢ上で多重化された）ＵＥ１１５間の干渉をランダム化するのに使用され得る。
【００８０】
[0087]  いくつかの例では、アップリンク制御情報は、シーケンスベースの設計を利用し得（例えば、アップリンク制御情報は、特定のシーケンスとしてシグナリングされ得）、ＰＵＣＣＨの異なるフォーマットが、異なる目的に使用され得る。例えば、ＰＵＣＣＨフォーマット０はショートＰＵＣＣＨ（ｓＰＵＣＣＨ：short PUCCH）送信に関連付けられ得、この送信は、ある数のビット（例えば、１または２ビット）を有するアップリンク制御情報を含み得る。そのような場合、（例えば、長さ１２の）ベースシーケンスを使用して、ＵＥ１１５に初期シフトが割り当てられ得、次いでＵＥ１１５は、初期シフトに基づいて他のシフトを導出し得る。いくつかの例では、また後述されるように、他のシフトの導出は、アップリンク制御情報（例えば、１ビットＡＣＫ、２ビットＡＣＫ、ＳＲ）に基づき得、従って、ベースシーケンスをシフトすることは、初期シフトと、アップリンク制御情報から導出された他のシフトとに基づき得る。例として、長さ１２のベースシーケンスが単一のリソース帯域幅において送信され得、循環シフトを（例えば、時間領域中で）使用すると、ベースシーケンスの導出され得る異なる複数のシフトがあり得る。
【００８１】
[0088]  ＵＥ１１５に初期シフトが割り当てられ得る。ＵＥ１１５は、ＵＥ固有のホッピングパターンと、セル固有のホッピングパターンとに基づく初期シフト（例えば、Ｓ０’）を決定し得る。いくつかの例では、ＵＥ１１５は、式Ｓ０＝（Ｓ０’＋Ｓｃｅｌｌ）ｍｏｄ１２を使用して、第１のシフトＳ０を決定し得る。いくつかの場合には、Ｓｃｅｌｌは、事前定義済みであり得、セルＩＤの関数であり得、Ｓ０’は、基地局１０５によってＵＥ１１５に提供され得る。
【００８２】
[0089]  図２Ａに示されるように、異なるシフト２０５を用いる異なる仮説が使用され得る。例えば、ＳＲの送信に使用される第１の仮説２００−ａでは、シフト２０５について１２個の可能な場所があり得る。従って、ＵＥ１１５による（単一のビットのみを備え得る）ＳＲの送信は、１つのシフト２０５のみ（例えば、Ｓ０のみ）を含み得る。
【００８３】
[0090]  １ビットＡＣＫの送信についての仮説２００−ｂなど、別の例では、シフト２０５間のいくらかのシフト距離を伴う総計２つのシフトがあり得る。仮説２００−ｂのクロック表現に示されるように、仮説２００内のシフト２０５の場所はシフト２０５の値に対応し得、シフト距離はそれぞれのシフト値間の差に対応し得る。説明的な例として、第１のシフト２０５−ａはシフト値０に対応し得、第２のシフト２０５−ｂはシフト値６に対応し得る。いくつかの例では、２つのシフトはＡＣＫビットの値（例えば、１または０）に基づき得、ここで、ＡＣＫビットの各値は異なるシフトに対応し得る。いくつかの場合には、第１のシフト２０５−ａについて１２個の可能な場所があり得、第２のシフト２０５−ｂは、６つのシフト２０５の距離で分離され得る。例えば、シフト距離が６に等しいとき、第１のシフトＳ０（シフト２０５−ａに対応する）と、第２のシフトＳ１（シフト２０５−ｂに対応する）とがあり得、第２のシフトＳ１は、式Ｓ１＝（Ｓ０＋６）ｍｏｄ１２）を使用して計算され得る。
【００８４】
[0091]  さらに別の例では、２ビットＡＣＫについての第３の仮説２００−ｃにおいて、各シフト間のいくらかのシフト距離を伴う総計４つのシフトがあり得、ここで、仮説２００−ｃのクロック表現では、異なるシフトが、異なる値に対応し得る。例えば、３つのシフトのシフト距離について、ＵＥ１１５は、第１のシフトＳ０（例えば、値０を有する）、Ｓ１＝（Ｓ０＋３）ｍｏｄ１２を使用して計算された第２のシフトＳ１（例えば、値３を有する）、（Ｓ０＋６）ｍｏｄ１２を使用して計算された第３のシフトＳ２（例えば、値６を有する）、または、Ｓ３＝（Ｓ０＋９）ｍｏｄ１２を使用して計算された第４のシフトＳ３（例えば、値９を有するを使用し得る。いくつかの例では、４つのシフトは各々、２ビットＡＣＫの異なる値に関連付けられ得る（例えば、｛０，０｝、｛０，１｝、｛１，０｝、および  ｛１，１｝）。言い換えれば、各２ビットＡＣＫ値ペアは、異なるシフトに対応し得る。例えば、値｛０，０｝を有する２ビットＡＣＫは第１のシフトに対応し得、値｛１，１｝を有する２ビットＡＣＫは第４のシフトに対応し得る。
【００８５】
[0092]  図２Ｂに示されるように、異なるＵＥ１１５が、異なるシフトを使用して分離され得る。例えば、セルＲＢ当たり総計１２個のシフトがあり得る。従って、ＳＲ送信では、ＲＢ当たり１２個までの多重化されたＵＥ１１５があり得、各ＵＥ１１５は１つのシフトを伴う。１ビットＡＣＫ送信では、例えば、ＲＢ当たり６つまでの多重化されたＵＥ１１５があり得、各ＵＥ１１５は２つのシフトを伴う。例えば、ＵＥ固有シフト２０１−ａに示されるように、第１のＵＥ１１５は、ＮＡＣＫ送信のために第１のシフト２１０−ａを使用し得、また、ＡＣＫ送信のために第２のシフト２１０−ｂを使用し得る。同様に、第２のＵＥ１１５は、ＮＡＣＫ送信のために第１のシフト２１５−ａを使用し得、また、ＡＣＫ送信のために第２のシフト２１５−ｂを使用し得る。追加または代替として、またＵＥ固有シフト２０１−ｂに示されるように、２ビットＡＣＫ送信では、ＲＢ当たり３つまでの多重化されたＵＥ１１５があり得、各ＵＥ１１５は４つのシフト２１０、２１５を伴う。いずれにしても、ＡＣＫおよびＮＡＣＫの送信のためにＵＥ１１５によって使用される異なるシフト間のマッピングがあり得る。いくつかの場合には、マッピングは所定であり得る。
【００８６】
[0093]  いくつかの場合には、同じＲＢ上で多重化された異なるＵＥ１１５からの干渉があることがある。例えば、第１の送信について９０パーセントの物理ダウンリンク共有チャネル（ＰＤＳＣＨ：physical downlink shared channel）復号レートがある場合、ＡＣＫチャネルの９０パーセントがＡＣＫ仮説に使用されることがある（例えば、全てのＵＥ１１５にわたって）。２つのＵＥ１１５が同じまたは同様のシフトを使用する場合は、それぞれのＵＥ１１５が相互からの干渉を被ることがある。
【００８７】
[0094]  従って、異なるＵＥ１１５による干渉を緩和するための技法が使用され得る。いくつかの場合には、使用されるランダム化された仮説マッピングがあり得、これは干渉をランダム化し得る。代替として、また本明細書で説明されるように、アップリンク制御メッセージを生成するのに使用されるシフトシーケンスのランダム化があり得、これもまた干渉をランダム化し得る。いくつかの例では、ランダム化された仮説マッピングは、追加の疑似ランダムシーケンスを導入することがあり、この結果、ランダムな初期シフトの使用よりも複雑度が高くなる可能性がある。
【００８８】
[0095]  初期シフトは、ＵＥ固有であり得、様々な技法を使用して示され得る。例えば、初期シフトは、明示的に示されるかもしくは暗黙的にマッピングされ得、またはこれらの組合せであり得る。例として、ダウンリンク制御メッセージ中のある数のビットを使用した明示的な指示があり得る。そのような場合、ＡＣＫ／ＮＡＣＫリソースインジケータまたはＡＲＩビットが、ランダムな初期シフトの明示的な指示に使用され得る。そのような場合、ＵＥ１１５に対して、（例えば、ＲＲＣシグナリングを使用して構成された）Ｙ個の構成済みリソースがあり得る。結果として、Ｘ個のＡＲＩビットが、ＰＵＣＣＨフォーマット０に使用するリソースのうちの１つまたは複数を示すのに使用され得、ここで、２X≧Ｙである。説明的な例として、Ｘ＝２およびＹ＝４リソースであり、ＡＲＩビットは、基地局１０５によって構成された４つのリソースのうちの１つを示し得る。いくつかの場合には、複数のリソースが、異なるシフトを含み得、他のパラメータは同じであり得る。従って、ＡＲＩビットは、（例えば、それぞれのリソース上での）異なる送信について異なる初期シフトを示し得る。そのような場合、異なる初期シフトが、異なるＡＲＩビット値によって示され得る。
【００８９】
[0096]  追加または代替として、（例えば、ＰＤＣＣＨ上でＵＥ１１５によって受信された）ダウンリンクグラント制御メッセージのＣＣＥインデックスに基づく暗黙的なマッピングがあり得る。そのような場合、暗黙的なマッピングがあり得、ここで、ＤＣＩに含まれるＡＲＩビットはなく、ＵＥ１１５はその代り、ＲＢインデックスとシフトインデックスとを導出するためにＣＣＥインデックスに依拠し得る。各送信につき、ＰＤＣＣＨはランダム化され得、従って初期シフトもまたランダム化され得る。
【００９０】
[0097]  別の例では、明示的と暗黙的マッピングとの組合せがあり得る。例えば、２X＜Ｙのとき、Ｙ個のリソースから特定のリソースを選択するのにＸ個のＡＲＩビットでは十分でないことがある。例えば、Ｘ＝２およびＹ＝８リソースであり、２個のＡＲＩビットでは特定のリソースを示すのに十分でないことがある。結果として、ＵＥ１１５は、Ｘ個のＡＲＩビットを使用してリソースのサブセット（例えば、ｃｅｉｌ
【００９１】
【数１】
2021505055.tif 000003
【００９２】
個のリソースを有する）を選択し、次いで、ＣＣＥインデックスを使用してサブセット中のリソースのうちの１つを選択し得る。例えば、各サブセットは２つのリソースを有し得、ＣＣＥインデックスは特定のリソースを識別するのに使用され得る。言い換えれば、リソースのサブセットは暗黙的に示され得、サブセット中のリソースは暗黙的にマッピングされ得る。いくつかの場合には、異なるサブセットが、同じまたは異なる初期シフトに対応し得る。追加または代替として、同じサブセット内の異なるリソースが、同じまたは異なる初期シフトに対応し得る。従って、ランダム化されたシフトは、ＡＲＩビット、ＣＣＥインデックス、またはこれらの組合せに基づくリソース割振りに関連付けられ得、ランダム化は、リソースのサブセット内でのリソースの選択を通して達成され得る。
【００９３】
[0098]  本明細書で説明される技法を使用すれば、ＵＥ固有初期シフトの使用は、異なるシフトが、異なる仮説２００に使用されること、および異なるＵＥ１１５によって使用されることを可能にし得る。例えば、第２の仮説２００−ｂを使用して送信するとき、所与のＵＥ１１５は、１ビットＡＣＫの場合のＡＣＫ／ＮＡＣＫの送信に特定のシフトを使用し得、一方、別のＵＥ１１５は異なるシフトを使用し得、それにより、両方のＵＥ１１５について干渉をランダム化し得る。同様に、ＵＥ固有シフト２０１によれば、ＡＣＫ／ＮＡＣＫ（またはスケジューリング要求）の送信はまた、各ＵＥ１１５によって使用される初期シフトに基づくランダム化されたシーケンスを含み得る。そのような技法は、それぞれのＵＥ１１５（例えば、同じリソース上で多重化されたＵＥ１１５）間で干渉がランダム化され得る確率がより高まるのを可能にし得る。
【００９４】
[0099]  図３は、本開示の様々な態様による、アップリンク制御チャネル送信のためのＵＥシフトランダム化をサポートするシステムにおけるプロセスフロー３００の一例を示す。いくつかの例では、プロセスフロー３００は、ワイヤレス通信システム１００の態様を実施し得る。例えば、プロセスフロー３００はＵＥ１１５−ａと基地局１０５−ａとを含み、これらは、図１を参照しながら説明された対応するデバイスの例であり得る。プロセスフロー３００は、セル内のリソース上で送信するワイヤレスデバイス間の干渉を効率的に低減するためのシーケンスのランダム化を示し得る。
【００９５】
[0100]  ３０５において、ＵＥ１１５は、アップリンク制御メッセージ中での送信のためのベースシーケンスを識別し得る。３１０において、基地局１０５−ａは、ベースシーケンスに適用される（例えば、ベースシーケンスとともに利用される）ことになるＵＥ固有初期シフトを示唆するシグナリングを送信し得、ＵＥ１１５−ａはこれを受信し得る。いくつかの場合には、基地局１０５−ａは、異なる複数の（例えば、ＵＥ１１５−ａを含む）ＵＥ１１５にシグナリングを送信し得、シグナリングは、アップリンク制御メッセージの送信間の干渉がランダム化されるような、それぞれのＵＥ１１５によってベースシーケンスに適用されることになる異なるＵＥ固有初期シフトを示唆し得る。いくつかの場合には、アップリンク制御ペイロードの生成時に使用されるシフト済みシーケンスがそれぞれの送信についてランダム化され得、それぞれのＵＥ１１５による異なる送信が、異なるシフトを使用し得る。そのような場合、シーケンスは、最小限の複雑度で効率的にランダム化され得る。
【００９６】
[0101]  例えば、ＵＥ１１５−ａは、ＵＥ固有初期シフトの明示的な指示を受信し得る。いくつかの例では、明示的な指示は、基地局１０５−ａによって送信されたダウンリンクＤＣＩメッセージのＡＲＩビット内に含まれる。ＡＲＩビットの数は、２をＡＲＩビットの数で累乗した値が、アップリンク制御メッセージのために構成されたリソースの数以上であるような、十分に多い数であり得る。すなわち、前述のように、２X≧Ｙである。
【００９７】
[0102]  いくつかの例では、ＵＥ固有初期シフトを示唆するシグナリングを受信することは、ＵＥ固有初期シフトが決定される元となるＣＣＥインデックスを有するダウンリンクグラント制御メッセージを受信することを含む。そのような場合、ＵＥ固有初期シフトについてのＲＢインデックスおよびシフトインデックスが、ダウンリンクグラント制御メッセージのＣＣＥインデックスに基づいて導出され得る。
【００９８】
[0103]  追加または代替として、シグナリングを受信することは、アップリンク制御メッセージのために構成されたリソースのサブセットの明示的な指示を受信し、ＣＣＥインデックスを有するダウンリンクグラント制御メッセージを受信することを含む。従って、ＵＥ１１５−ａは、リソースのサブセットに適用されたＣＣＥインデックスに少なくとも部分的に基づいて、ＵＥ固有初期シフトについてのＲＢインデックスおよびシフトインデックスを導出し得る。いくつかの例では、明示的な指示は、ＤＣＩメッセージのＡＲＩビット内に含まれる。いくつかの場合には、ＡＲＩビットの数は、２をＡＲＩビットの数で累乗した値がアップリンク制御メッセージのために構成されたリソースの数よりも小さいような数である。すなわち、前述のように、２X＜Ｙである。いくつかの例では、３１５において、ＵＥ１１５−ａは、シグナリングに基づいてＵＥ固有初期シフトを決定し得る。３２０において、ＵＥ１１５−ａは、ＵＥ固有初期シフトおよびベースシーケンスに基づいて、１つまたは複数のシフト済みシーケンスを決定し得る。いくつかの例では、ＵＥ１１５−ａは、アップリンク制御メッセージに含まれる情報（例えば、１ビットＡＣＫ、２ビットＡＣＫ、ＳＲなどを含むペイロード）を決定し得、アップリンク制御メッセージに含まれる情報に基づいてシフト済みシーケンスを決定し得る。例えば、前に言及されたように、ＰＵＣＣＨフォーマット０はｓＰＵＣＣＨ送信に関連付けられ得、この送信は、１または２ビットを有するアップリンク制御情報（例えば、ＳＲ、ＡＣＫ／ＮＡＣＫなど）を含み得る。ＵＥ１１５−ａは、従って、ｓＰＵＣＣＨを使用して送られることになるアップリンク制御情報中のビット数を決定し得、シフト済みシーケンスは、図２Ａおよび図２Ｂを参照しながら説明されたようにペイロードのビット数に基づき得る。従って、ＵＥ１１５−ａは、ＵＥ固有初期シフトと、ベースシーケンスと、アップリンク制御メッセージを使用して設定されることになるアップリンク制御情報のビット数とに基づいて、シフト済みシーケンスを決定し得る。いくつかの例では、３２５において、ＵＥ１１５−ａは、アップリンク制御メッセージのペイロードに少なくとも部分的に基づいて、１つまたは複数のシフト済みシーケンスからシフト済みシーケンスを選択し得る。いくつかの例では、アップリンク制御メッセージのペイロードに基づいて１つまたは複数のシフト済みシーケンスからシフト済みシーケンスを選択することは、アップリンク制御メッセージのペイロードがＳＲ、１ビットＡＣＫ、または２ビットＡＣＫのうちの１つであると識別し、次いで、識別されたペイロードに少なくとも部分的に基づいてシフト済みシーケンスを選択することを含み得る。いくつかの場合には、ＵＥ１１５−ａは、１つまたは複数のシフト済みシーケンスからのシフト済みシーケンスの選択をランダム化し得る。
【００９９】
[0104]  ３３０で、ＵＥ１１５−ａは、シフト済みシーケンスに基づいてアップリンク制御情報をアップリンク制御メッセージ中で送信し得、基地局１０５−ａはこれを受信し得る。例えば、アップリンク制御メッセージは、基地局１０５−ａへの送信のための物理リソース（例えばＲＥ）にマッピングされるシフト済みシーケンスを備え得る。いくつかの場合には、アップリンク制御メッセージは、１または２ビットのアップリンク制御情報を有するｓＰＵＣＣＨメッセージとしてフォーマットされ得る。
【０１００】
[0105]  図４は、本開示の態様による、アップリンク制御チャネル送信のためのＵＥシフトランダム化をサポートするワイヤレスデバイス４０５のブロック図４００を示す。ワイヤレスデバイス４０５は、本明細書で説明されるＵＥ１１５の態様の一例であり得る。ワイヤレスデバイス４０５は、受信機４１０と、ＵＥ通信マネージャ４１５と、送信機４２０とを含み得る。ワイヤレスデバイス４０５は、プロセッサをも含み得る。これらの構成要素の各々は、（例えば、１つまたは複数のバスを介して）互いに通信していることがある。
【０１０１】
[0106]  受信機４１０は、パケット、ユーザデータ、または様々な情報チャネルに関連する制御情報（例えば、制御チャネル、データチャネル、およびアップリンク制御チャネル送信のためのＵＥシフトランダム化に関係する情報など）などの情報を受信し得る。情報は、デバイスの他の構成要素に渡され得る。受信機４１０は、図７を参照しながら説明されるトランシーバ７３５の態様の一例であり得る。受信機４１０は、単一のアンテナ、またはアンテナのセットを利用し得る。
【０１０２】
[0107]  ＵＥ通信マネージャ４１５は、図７を参照しながら説明されるＵＥ通信マネージャ７１５の態様の一例であり得る。ＵＥ通信マネージャ４１５、および／またはその様々な副構成要素のうちの少なくともいくつかは、ハードウェア、プロセッサによって実行されるソフトウェア、ファームウェア、またはこれらの任意の組合せにおいて実施され得る。プロセッサによって実行されるソフトウェアにおいて実施される場合、ＵＥ通信マネージャ４１５および／またはその様々な副構成要素のうちの少なくともいくつかの機能は、本開示で説明される機能を行うように設計された汎用プロセッサ、デジタル信号プロセッサ（ＤＳＰ）、特定用途向け集積回路（ＡＳＩＣ）、フィールドプログラマブルゲートアレイ（ＦＰＧＡ）もしくは他のプログラマブル論理デバイス、個別ゲートもしくはトランジスタ論理、個別ハードウェア構成要素、またはこれらの任意の組合せによって実行され得る。
【０１０３】
[0108]  ＵＥ通信マネージャ４１５、および／またはその様々な副構成要素のうちの少なくともいくつかは、機能の一部が１つまたは複数の物理デバイスによって異なる物理的場所で実施されるように分散されることを含めて、様々な位置に物理的に配置され得る。いくつかの例では、ＵＥ通信マネージャ４１５、および／またはその様々な副構成要素のうちの少なくともいくつかは、本開示の様々な態様による分離した別個の構成要素であり得る。他の例では、ＵＥ通信マネージャ４１５、および／またはその様々な副構成要素のうちの少なくともいくつかは、１つまたは複数の他のハードウェア構成要素と組み合わせられ得、これらのハードウェア構成要素は、次のものに限定されないが、本開示の様々な態様によるＩ／Ｏ構成要素、トランシーバ、ネットワークサーバ、別のコンピューティングデバイス、本開示で説明される１つもしくは複数の他の構成要素、またはこれらの組合せを含む。
【０１０４】
[0109]  ＵＥ通信マネージャ４１５は、アップリンク制御メッセージの送信のためのベースシーケンスを識別し、ベースシーケンスとともに使用されることになるＵＥ固有初期シフトを示唆するシグナリングを受信し、シグナリングに基づいてＵＥ固有初期シフトを決定し得る。いくつかの場合には、ＵＥ通信マネージャ４１５は、アップリンク制御メッセージ基づくのためのアップリンク制御情報を決定し、ＵＥ固有初期シフトおよびアップリンク制御情報に基づいてベースシーケンスのシフト済みシーケンスを決定し、アップリンク制御情報をアップリンク制御メッセージ中で送信し得、ここで、アップリンク制御情報はシフト済みシーケンスに基づく。
【０１０５】
[0110]  送信機４２０は、デバイスの他の構成要素によって生成された信号を送信し得る。いくつかの例では、送信機４２０は、トランシーバモジュール中で受信機４１０とコロケートされ得る。例えば、送信機４２０は、図７を参照しながら説明されるトランシーバ７３５の態様の一例であり得る。送信機４２０は、単一のアンテナ、またはアンテナのセットを利用し得る。
【０１０６】
[0111]  図５は、本開示の態様による、アップリンク制御チャネル送信のためのＵＥシフトランダム化をサポートするワイヤレスデバイス５０５のブロック図５００を示す。ワイヤレスデバイス５０５は、図４を参照しながら説明されたワイヤレスデバイス４０５またはＵＥ１１５の態様の一例であり得る。ワイヤレスデバイス５０５は、受信機５１０と、ＵＥ通信マネージャ５１５と、送信機５２０とを含み得る。ワイヤレスデバイス５０５は、プロセッサをも含み得る。これらの構成要素の各々は（例えば、１つまたは複数のバスを介して）互いに通信していることがある。
【０１０７】
[0112]  受信機５１０は、パケット、ユーザデータ、または様々な情報チャネルに関連する制御情報（例えば、制御チャネル、データチャネル、およびアップリンク制御チャネル送信のためのＵＥシフトランダム化に関係する情報など）などの情報を受信し得る。情報は、デバイスの他の構成要素に渡され得る。受信機５１０は、図７を参照しながら説明されるトランシーバ７３５の態様の一例であり得る。受信機５１０は、単一のアンテナ、またはアンテナのセットを利用し得る。
【０１０８】
[0113]  ＵＥ通信マネージャ５１５は、図７を参照しながら説明されるＵＥ通信マネージャ７１５の態様の一例であり得る。ＵＥ通信マネージャ５１５はまた、シーケンスマネージャ５２５と、ランダム化済みシフト構成要素５３０と、制御メッセージ送信構成要素５３５とを含み得る。
【０１０９】
[0114]  シーケンスマネージャ５２５は、アップリンク制御メッセージ中での送信のためのベースシーケンスを識別し、ＵＥ固有初期シフトおよびベースシーケンスに基づいて１つまたは複数のシフト済みシーケンスを決定し、アップリンク制御メッセージのペイロードに基づいて１つまたは複数のシフト済みシーケンスからシフト済みシーケンスを選択し得る。いくつかの例では、シーケンスマネージャ５２５は、識別されたペイロードに基づいてシフト済みシーケンスを選択し得る。いくつかの例では、シーケンスマネージャ５２５は、ＵＥ固有初期シフトおよびアップリンク制御情報に基づいてベースシーケンスのシフト済みシーケンスを決定し得る。いくつかの例では、シーケンスマネージャ５２５は、１つまたは複数のシフト済みシーケンスからのシフト済みシーケンスの選択をランダム化し得る。いくつかの場合には、アップリンク制御メッセージのペイロードに基づいて１つまたは複数のシフト済みシーケンスからシフト済みシーケンスを選択することは、アップリンク制御メッセージのペイロードがＳＲ、１ビットＡＣＫ、または２ビットＡＣＫのうちの１つであると識別することを含む。
【０１１０】
[0115]  ランダム化済みシフト構成要素５３０は、ベースシーケンスに適用されることになるＵＥ固有初期シフトを示す（例えば、示唆する）シグナリングを受信し、シグナリングに基づいてＵＥ固有初期シフトを決定し得る。いくつかの場合には、ＵＥ固有初期シフトを示唆するシグナリングを受信することは、ＵＥ固有初期シフトの明示的な指示を受信することを含む。いくつかの場合には、明示的な指示は、ＤＣＩメッセージのＡＲＩビット内に含まれる。いくつかの場合には、ＡＲＩビットの数は、２をＡＲＩビットの数で累乗した値がアップリンク制御メッセージのために構成されたリソースの数よりも大きいような、十分に多い数である。
【０１１１】
[0116]  いくつかの場合には、ＵＥ固有初期シフトを示唆するシグナリングを受信することは、ＵＥ固有初期シフトの導出元となるＣＣＥインデックスを有するダウンリンクグラント制御メッセージを受信することを含む。いくつかの場合には、ＵＥ固有初期シフトを決定することは、ダウンリンクグラント制御メッセージのＣＣＥインデックスに基づいてＵＥ固有初期シフトについてのＲＢインデックスおよびシフトインデックスを導出することを含む。いくつかの場合には、ＵＥ固有初期シフトを示唆するシグナリングを受信することは、アップリンク制御メッセージのために構成されたリソースのサブセットの明示的な指示を受信することを含む。いくつかの場合には、明示的な指示は、ＤＣＩメッセージのＡＲＩビット内に含まれる。いくつかの場合には、ＡＲＩビットの数は、２をＡＲＩビットの数で累乗した値がアップリンク制御メッセージのために構成されたリソースの数よりも小さいような数である。
【０１１２】
[0117]  制御メッセージ送信構成要素５３５は、選択されたシフト済みシーケンスをアップリンク制御メッセージ中で送信し得る。いくつかの例では、制御メッセージ送信構成要素５３５は、アップリンク制御メッセージのペイロードに基づいてアップリンク制御情報のビット数を決定し得る。いくつかの例では、制御メッセージ送信構成要素５３５は、アップリンク制御情報をアップリンク制御メッセージ中で送信し得、ここにおいて、アップリンク制御メッセージはシフト済みシーケンスに基づく。いくつかの場合には、アップリンク制御メッセージは、１ビットまたは２ビットのアップリンク制御情報のみを有するｓＰＵＣＣＨメッセージとしてフォーマットされる。
【０１１３】
[0118]  送信機５２０は、デバイスの他の構成要素によって生成された信号を送信し得る。いくつかの例では、送信機５２０は、トランシーバモジュール中で受信機５１０とコロケートされ得る。例えば、送信機５２０は、図７を参照しながら説明されるトランシーバ７３５の態様の一例であり得る。送信機５２０は、単一のアンテナ、またはアンテナのセットを利用し得る。
【０１１４】
[0119]  図６は、本開示の態様による、アップリンク制御チャネル送信のためのＵＥシフトランダム化をサポートするＵＥ通信マネージャ６１５のブロック図６００を示す。ＵＥ通信マネージャ６１５は、図４、図５、および図７を参照しながら説明されるＵＥ通信マネージャ４１５、ＵＥ通信マネージャ５１５、またはＵＥ通信マネージャ７１５の態様の一例であり得る。ＵＥ通信マネージャ６１５は、シーケンスマネージャ６２０と、ランダム化済みシフト構成要素６２５と、制御メッセージ送信構成要素６３０と、ダウンリンクグラントマネージャ６３５と、インデックスマネージャ６４０とを含み得る。これらのモジュールの各々は、（例えば１つまたは複数のバスを介して）互いに直接または間接的に通信し得る。
【０１１５】
[0120]  シーケンスマネージャ６２０は、アップリンク制御メッセージ中での送信のためのベースシーケンスを識別し、ＵＥ固有初期シフトおよびベースシーケンスに基づいて１つまたは複数のシフト済みシーケンスを決定し、アップリンク制御メッセージのペイロードに基づいて１つまたは複数のシフト済みシーケンスからシフト済みシーケンスを選択し、識別されたペイロードに基づいてシフト済みシーケンスを選択し、１つまたは複数のシフト済みシーケンスからのシフト済みシーケンスの選択をランダム化し得る。いくつかの例では、シーケンスマネージャ６２０は、ＵＥ固有初期シフト、アップリンク制御情報のビット数、およびベースシーケンスに基づいて、シフト済みシーケンスを決定し得る。いくつかの例では、シーケンスマネージャ６２０は、し得る
[0121]  いくつかの例では、シーケンスマネージャ６２０は、ペイロードアップリンク制御情報に対応するシフト値に少なくとも部分的に基づいて、シフト済みシーケンスを決定し得、シフト値は０または６の値を備える。いくつかの例では、シーケンスマネージャ６２０は、ペイロードアップリンク制御情報に対応するシフト値に少なくとも部分的に基づいてシフト済みシーケンスを決定し得、シフト値は０、３、６、または９の値を備える。いくつかの場合には、アップリンク制御メッセージのペイロードに基づいて１つまたは複数のシフト済みシーケンスからシフト済みシーケンスを選択することは、アップリンク制御メッセージのペイロードがＳＲ、１ビットＡＣＫ、２ビットＡＣＫなどを含むと識別することを含む。
【０１１６】
[0122]  ランダム化済みシフト構成要素６２５は、ベースシーケンスに適用されることになるＵＥ固有初期シフトを示唆するシグナリングを受信し、シグナリングに基づいてＵＥ固有初期シフトを決定し得る。いくつかの場合には、ＵＥ固有初期シフトを示唆するシグナリングを受信することは、ＵＥ固有初期シフトの明示的な指示を受信することを含む。いくつかの場合には、明示的な指示は、ＤＣＩメッセージのＡＲＩビット内に含まれる。いくつかの場合には、ＡＲＩビットの数は、２をＡＲＩビットの数で累乗した値がアップリンク制御メッセージのために構成されたリソースの数よりも大きいような、十分に多い数である。
【０１１７】
[0123]  いくつかの場合には、ＵＥ固有初期シフトを示唆するシグナリングを受信することは、ＵＥ固有初期シフトの導出元となるＣＣＥインデックスを有するダウンリンクグラント制御メッセージを受信することを含む。いくつかの場合には、ＵＥ固有初期シフトを決定することは、ダウンリンクグラント制御メッセージのＣＣＥインデックスに基づいてＵＥ固有初期シフトについてのＲＢインデックスおよびシフトインデックスを導出することを含む。いくつかの場合には、ＵＥ固有初期シフトを示唆するシグナリングを受信することは、アップリンク制御メッセージのために構成されたリソースのサブセットの明示的な指示を受信することを含む。いくつかの場合には、明示的な指示は、ＤＣＩメッセージのＡＲＩビット内に含まれる。いくつかの場合には、ＡＲＩビットの数は、２をＡＲＩビットの数で累乗した値がアップリンク制御メッセージのために構成されたリソースの数よりも小さいような数である。
【０１１８】
[0124]  制御メッセージ送信構成要素６３０は、選択されたシフト済みシーケンスをアップリンク制御メッセージ中で送信し得る。いくつかの例では、制御メッセージ送信構成要素６３０は、アップリンク制御メッセージのペイロードに基づいてアップリンク制御メッセージのビット数を決定し得る。いくつかの例では、制御メッセージ送信構成要素６３０は、アップリンク制御情報をアップリンク制御メッセージ中で送信し得、ここにおいて、アップリンク制御メッセージはシフト済みシーケンスに基づく。いくつかの例では、制御メッセージ送信構成要素６３０は、アップリンク制御情報中の肯定応答情報のサイズを決定し得る。いくつかの場合には、アップリンク制御メッセージは、１ビットまたは２ビットのアップリンク制御情報のみを有するｓＰＵＣＣＨメッセージとしてフォーマットされる。
【０１１９】
[0125]  ダウンリンクグラントマネージャ６３５は、ＣＣＥインデックスを有するダウンリンクグラント制御メッセージを受信し得る。インデックスマネージャ６４０は、リソースのサブセットに適用されたＣＣＥインデックスに基づいて、ＵＥ固有初期シフトについてのＲＢインデックスおよびシフトインデックスを導出し得る。
【０１２０】
[0126]  図７は、本開示の態様による、アップリンク制御チャネル送信のためのＵＥシフトランダム化をサポートするデバイス７０５を含むシステム７００の図を示す。デバイス７０５は、例えば図４および図５を参照しながら本明細書で説明されたワイヤレスデバイス４０５、ワイヤレスデバイス５０５、またはＵＥ１１５の一例であり得るか、またはその構成要素を含み得る。デバイス７０５は、ＵＥ通信マネージャ７１５と、プロセッサ７２０と、メモリ７２５と、ソフトウェア７３０と、トランシーバ７３５と、アンテナ７４０と、Ｉ／Ｏコントローラ７４５とを含めて、通信を送受信するための構成要素を含む双方向音声およびデータ通信のための構成要素を含み得る。これらの構成要素は、１つまたは複数のバス（例えば、バス７１０）を介して電子通信していることがある。デバイス７０５は、１つまたは複数の基地局１０５とワイヤレス通信し得る。
【０１２１】
[0127]  プロセッサ７２０は、インテリジェントハードウェアデバイス（例えば、汎用プロセッサ、ＤＳＰ、中央処理ユニット（ＣＰＵ）、マイクロコントローラ、ＡＳＩＣ、ＦＰＧＡ、プログラマブル論理デバイス、個別ゲートもしくはトランジスタ論理構成要素、個別ハードウェア構成要素、またはこれらの任意の組合せ）を含み得る。場合によっては、プロセッサ７２０は、メモリコントローラを使用してメモリアレイを動作させるように構成され得る。他の場合には、メモリコントローラはプロセッサ７２０に組み込まれ得る。プロセッサ７２０は、様々な機能（例えば、アップリンク制御チャネル送信のためのＵＥシフトランダム化をサポートする機能またはタスク）を行うために、メモリに記憶されたコンピュータ可読命令を実行するように構成され得る。
【０１２２】
[0128]  メモリ７２５は、ランダムアクセスメモリ（ＲＡＭ）および読取り専用メモリ（ＲＯＭ）を含み得る。メモリ７２５は、実行されたときに本明細書に記載の様々な機能を行うことをプロセッサにさせる命令を含むコンピュータ可読、コンピュータ実行可能ソフトウェア７３０を記憶し得る。場合によっては、メモリ７２５は、特に、周辺構成要素またはデバイスとの対話などの基本的なハードウェアまたはソフトウェア動作を制御し得る基本入出力システム（ＢＩＯＳ）を含み得る。
【０１２３】
[0129]  ソフトウェア７３０は、アップリンク制御チャネル送信のためのＵＥシフトランダム化をサポートするためのコードを含む、本開示の態様を実施するためのコードを含み得る。ソフトウェア７３０は、システムメモリまたは他のメモリなど、非一時的コンピュータ可読媒体に記憶され得る。場合によっては、ソフトウェア７３０は、プロセッサによって直接的に実行可能でないことがあるが、（例えば、コンパイルされ実行されたとき）コンピュータに本明細書で説明される機能を行うことをプロセッサにさせ得る。
【０１２４】
[0130]  トランシーバ７３５は、本明細書で説明されるように、１つまたは複数のアンテナ、ワイヤードリンク、またはワイヤレスリンクを介して双方向に通信し得る。例えば、トランシーバ７３５は、ワイヤレストランシーバを表し得、別のワイヤレストランシーバと双方向に通信し得る。トランシーバ７３５はまた、パケットを変調し、変調されたパケットを送信のためにアンテナに提供するための、およびアンテナから受け取られたパケットを復調するためのモデムを含み得る。場合によっては、ワイヤレスデバイスは単一のアンテナ７４０を含み得る。しかしながら、場合によっては、デバイスは、複数のワイヤレス送信を同時に送信または受信することが可能であり得る２つ以上のアンテナ７４０を有し得る。
【０１２５】
[0131]  Ｉ／Ｏコントローラ７４５は、デバイス７０５のための入力および出力信号を管理し得る。Ｉ／Ｏコントローラ７４５は、デバイス７０５に組み込まれていない周辺機器をも管理し得る。いくつかの場合には、Ｉ／Ｏコントローラ７４５は、外部周辺機器への物理接続またはポートを表し得る。いくつかの場合には、Ｉ／Ｏコントローラ７４５は、ｉＯＳ（登録商標）、ＡＮＤＲＯＩＤ（登録商標）、ＭＳ−ＤＯＳ（登録商標）、ＭＳ−ＷＩＮＤＯＷＳ（登録商標）、ＯＳ／２（登録商標）、ＵＮＩＸ（登録商標）、ＬＩＮＵＸ（登録商標）、または別の知られているオペレーティングシステムなど、オペレーティングシステムを利用し得る。他の場合には、Ｉ／Ｏコントローラ７４５は、モデム、キーボード、マウス、タッチスクリーン、または同様のデバイスを表すか、またはそれらと対話し得る。いくつかの場合には、Ｉ／Ｏコントローラ７４５は、プロセッサの一部として実施され得る。いくつかの場合には、ユーザは、Ｉ／Ｏコントローラ７４５を介して、またはＩ／Ｏコントローラ７４５によって制御されるハードウェア構成要素を介して、デバイス７０５と対話し得る。
【０１２６】
[0132]  図８は、本開示の態様による、アップリンク制御チャネル送信のためのＵＥシフトランダム化をサポートするワイヤレスデバイス８０５のブロック図８００を示す。ワイヤレスデバイス８０５は、本明細書で説明される基地局１０５の態様の一例であり得る。ワイヤレスデバイス８０５は、受信機８１０と、基地局通信マネージャ８１５と、送信機８２０とを含み得る。ワイヤレスデバイス８０５は、プロセッサをも含み得る。これらの構成要素の各々は（例えば、１つまたは複数のバスを介して）互いに通信していることがある。
【０１２７】
[0133]  受信機８１０は、パケット、ユーザデータ、または様々な情報チャネルに関連する制御情報（例えば、制御チャネル、データチャネル、およびアップリンク制御チャネル送信のためのＵＥシフトランダム化に関係する情報など）などの情報を受信し得る。情報は、デバイスの他の構成要素に受け渡され得る。受信機８１０は、図１１を参照しながら説明されるトランシーバ１１３５の態様の一例であり得る。受信機８１０は、単一のアンテナまたはアンテナのセットを利用し得る。
【０１２８】
[0134]  基地局通信マネージャ８１５は、図１１を参照しながら説明される基地局通信マネージャ１１１５の態様の一例であり得る。基地局通信マネージャ８１５および／またはそれの様々な副構成要素のうちの少なくともいくつかは、ハードウェア、プロセッサによって実行されるソフトウェア、ファームウェア、またはそれらの任意の組合せで実施され得る。プロセッサによって実行されるソフトウェアで実施される場合、基地局通信マネージャ８１５および／またはそれの様々な副構成要素のうちの少なくともいくつかの機能は、汎用プロセッサ、ＤＳＰ、ＡＳＩＣ、ＦＰＧＡまたは他のプログラマブル論理デバイス、個別ゲートまたはトランジスタ論理、個別ハードウェア構成要素、あるいは本開示で説明される機能を行うように設計されたそれらの任意の組合せによって実行され得る。
【０１２９】
[0135]  基地局通信マネージャ８１５および／またはそれの様々な副構成要素のうちの少なくともいくつかは、機能の部分が、１つまたは複数の物理デバイスによって異なる物理的ロケーションにおいて実施されるように分散されることを含めて、様々な位置に物理的に配置され得る。いくつかの例では、基地局通信マネージャ８１５および／またはそれの様々な副構成要素のうちの少なくともいくつかは、本開示の様々な態様による、分離したおよび別個の構成要素であり得る。他の例では、基地局通信マネージャ８１５および／またはそれの様々な副構成要素のうちの少なくともいくつかは、本開示の様々な態様による、限定はしないが、Ｉ／Ｏ構成要素、トランシーバ、ネットワークサーバ、別のコンピューティングデバイス、本開示で説明される１つまたは複数の他の構成要素、またはそれらの組合せを含む、１つまたは複数の他のハードウェア構成要素と組み合わされ得る。
【０１３０】
[0136]  基地局通信マネージャ８１５は、アップリンク制御メッセージの送信のためのベースシーケンスに適用されることになるＵＥ固有初期シフトを示すシグナリングをＵＥ１１５に送信し、アップリンク制御情報をアップリンク制御メッセージ中で受信し得、ここで、アップリンク制御情報は、ＵＥ固有初期シフトとアップリンク制御情報のペイロードとに従ってベースシーケンスに対してシフトされたシフト済みシーケンスに基づく。
【０１３１】
[0137]  送信機８２０は、デバイスの他の構成要素によって生成された信号を送信し得る。いくつかの例では、送信機８２０は、トランシーバモジュールにおいて受信機８１０とコロケートされ得る。例えば、送信機８２０は、図１１を参照しながら説明されるトランシーバ１１３５の態様の一例であり得る。送信機８２０は、単一のアンテナまたはアンテナのセットを利用し得る。
【０１３２】
[0138]  図９は、本開示の態様による、アップリンク制御チャネル送信のためのＵＥシフトランダム化をサポートするワイヤレスデバイス９０５のブロック図９００を示す。ワイヤレスデバイス９０５は、図８を参照しながら説明されたワイヤレスデバイス８０５または基地局１０５の態様の一例であり得る。ワイヤレスデバイス９０５は、受信機９１０と、基地局通信マネージャ９１５と、送信機９２０とを含み得る。ワイヤレスデバイス９０５は、プロセッサをも含み得る。これらの構成要素の各々は（例えば、１つまたは複数のバスを介して）互いに通信していることがある。
【０１３３】
[0139]  受信機９１０は、パケット、ユーザデータ、または様々な情報チャネルに関連する制御情報（例えば、制御チャネル、データチャネル、およびアップリンク制御チャネル送信のためのＵＥシフトランダム化に関係する情報など）などの情報を受信し得る。情報は、デバイスの他の構成要素に受け渡され得る。受信機９１０は、図１１を参照しながら説明されるトランシーバ１１３５の態様の一例であり得る。受信機９１０は、単一のアンテナまたはアンテナのセットを利用し得る。
【０１３４】
[0140]  基地局通信マネージャ９１５は、図１１を参照しながら説明される基地局通信マネージャ１１１５の態様の一例であり得る。基地局通信マネージャ９１５はまた、シフトシグナリング構成要素９２５と制御メッセージマネージャ９３０とを含み得る。
【０１３５】
[0141]  シフトシグナリング構成要素９２５は、アップリンク制御メッセージの送信のためのベースシーケンスに適用されることになるＵＥ固有初期シフトを示唆するシグナリングをＵＥ１１５に送信し得る。いくつかの場合には、シフトシグナリング構成要素９２５は、異なる複数のＵＥ１１５にシグナリングを送信し得、ここで、シグナリングは、アップリンク制御メッセージの送信間の干渉がランダム化されるような、異なるＵＥ１１５の各々によってベースシーケンスに適用されることになる異なるＵＥ固有初期シフトを示唆し得る。いくつかの場合には、ＵＥ固有初期シフトを示唆するシグナリングを送信することは、ＵＥ固有初期シフトの明示的な指示を送信することを含む。
【０１３６】
[0142]  いくつかの場合には、明示的な指示は、ＤＣＩメッセージのＡＲＩビット内に含まれる。いくつかの場合には、ＡＲＩビットの数は、２をＡＲＩビットの数で累乗した値がアップリンク制御メッセージのために構成されたリソースの数よりも大きいような、十分に多い数である。いくつかの場合には、ＵＥ固有初期シフトを示唆するシグナリングを送信することは、ＵＥ固有初期シフトの導出元となるＣＣＥインデックスを有するダウンリンクグラント制御メッセージを送信することを含む。いくつかの場合には、ＵＥ固有初期シフトを示唆するシグナリングを送信することは、アップリンク制御メッセージのために構成されたリソースのサブセットの明示的な指示を送信することを含む。いくつかの場合には、明示的な指示はＤＣＩメッセージのＡＲＩビット内に含まれ、ＡＲＩビットの数は、２をＡＲＩビットの数で累乗した値がアップリンク制御メッセージのために構成されたリソースの数よりも小さいような数である。
【０１３７】
[0143]  制御メッセージマネージャ９３０は、ＵＥ固有初期シフトに従ってベースシーケンスに対してシフトされたシフト済みシーケンスを、アップリンク制御メッセージ中で受信し得る。いくつかの例では、制御メッセージマネージャ９３０は、アップリンク制御情報をアップリンク制御メッセージ中で受信し得、ここで、アップリンク制御情報は、ＵＥ固有初期シフトとアップリンク制御情報のペイロードとに従ってベースシーケンスに対してシフトされたシフト済みシーケンスに基づく。いくつかの場合には、アップリンク制御メッセージは、１または２ビットのアップリンク制御情報のみを有するｓＰＵＣＣＨとしてフォーマットされる。
【０１３８】
[0144]  送信機９２０は、デバイスの他の構成要素によって生成された信号を送信し得る。いくつかの例では、送信機９２０は、トランシーバモジュールにおいて受信機９１０とコロケートされ得る。例えば、送信機９２０は、図１１を参照しながら説明されるトランシーバ１１３５の態様の一例であり得る。送信機９２０は、単一のアンテナまたはアンテナのセットを利用し得る。
【０１３９】
[0145]  図１０は、本開示の態様による、アップリンク制御チャネル送信のためのＵＥシフトランダム化をサポートする基地局通信マネージャ１０１５のブロック図１０００を示す。基地局通信マネージャ１０１５は、図８、図９、および図１１を参照しながら説明される基地局通信マネージャ１１１５の態様の一例であり得る。基地局通信マネージャ１０１５は、シフトシグナリング構成要素１０２０と、制御メッセージマネージャ１０２５と、ダウンリンク制御メッセージ構成要素１０３０とを含み得る。これらのモジュールの各々は、直接または間接的に、（例えば、１つまたは複数のバスを介して）互いに通信し得る。
【０１４０】
[0146]  シフトシグナリング構成要素１０２０は、アップリンク制御メッセージの送信のためのベースシーケンスに適用されることになるＵＥ固有初期シフトを示すシグナリングをＵＥ１１５に送信し、追加のシグナリングを異なる複数のＵＥ１１５に送信し得る。いくつかの場合には、追加のシグナリングは、アップリンク制御メッセージの送信間の干渉がランダム化されるような、異なるＵＥ１１５によってベースシーケンスに適用されることになる異なるＵＥ固有初期シフトを示唆し得る。
【０１４１】
[0147]  いくつかの例では、ＵＥ固有初期シフトを示すシグナリングを送信することは、ＵＥ固有初期シフトの明示的な指示を送信することを含む。いくつかの場合には、明示的な指示はＤＣＩメッセージのＡＲＩビット内に含まれ、ここで、ＡＲＩビットの数は、２をＡＲＩビットの数で累乗した値がアップリンク制御メッセージのために構成されたリソースの数よりも大きいような、十分に多い数である。いくつかの場合には、ＵＥ固有初期シフトを示唆するシグナリングを送信することは、ＵＥ固有初期シフトの導出元となるＣＣＥインデックスを有するダウンリンクグラント制御メッセージを送信することを含む。いくつかの場合には、ＵＥ固有初期シフトを示唆するシグナリングを送信することは、アップリンク制御メッセージのために構成されたリソースのサブセットの明示的な指示を送信することを含む。いくつかの場合には、明示的な指示は、ＤＣＩメッセージのＡＲＩビット内に含まれる。いくつかの場合には、ＡＲＩビットの数は、２をＡＲＩビットの数で累乗した値がアップリンク制御メッセージのために構成されたリソースの数よりも小さいような数である。
【０１４２】
[0148]  制御メッセージマネージャ１０２５は、ＵＥ固有初期シフトに従ってベースシーケンスに対してシフトされたシフト済みシーケンスを、アップリンク制御メッセージ中で受信し得る。いくつかの場合には、アップリンク制御メッセージは、１または２ビットのアップリンク制御情報のみを有するｓＰＵＣＣＨとしてフォーマットされる。
【０１４３】
[0149]  ダウンリンク制御メッセージ構成要素１０３０は、リソースのサブセットに適用されたＣＣＥインデックスに基づいてＵＥ固有初期シフトについてのＲＢインデックスおよびシフトインデックスが導出されることが可能であるような、ＣＣＥインデックスを有するダウンリンクグラント制御メッセージを送信し得る。
【０１４４】
[0150]  図１１は、本開示の態様による、アップリンク制御チャネル送信のためのＵＥシフトランダム化をサポートするデバイス１１０５を含むシステム１１００の図を示す。デバイス１１０５は、例えば、図１を参照しながら本明細書で説明された基地局１０５の構成要素の一例であるか、またはそれを含み得る。デバイス１１０５は、基地局通信マネージャ１１１５と、プロセッサ１１２０と、メモリ１１２５と、ソフトウェア１１３０と、トランシーバ１１３５と、アンテナ１１４０と、ネットワーク通信マネージャ１１４５と、局間通信マネージャ１１５０とを含めて、通信を送受信するための構成要素を含む双方向音声およびデータ通信のための構成要素を含み得る。これらの構成要素は、１つまたは複数のバス（例えば、バス１１１０）を介して電子通信していることがある。デバイス１１０５は、１つまたは複数のＵＥ１１５とワイヤレスに通信できる。
【０１４５】
[0151]  プロセッサ１１２０は、インテリジェントハードウェアデバイス（例えば、汎用プロセッサ、ＤＳＰ、ＣＰＵ、マイクロコントローラ、ＡＳＩＣ、ＦＰＧＡ、プログラマブル論理デバイス、個別ゲートまたはトランジスタ論理構成要素、個別ハードウェア構成要素、あるいはそれらの任意の組合せ）を含み得る。場合によっては、プロセッサ１１２０は、メモリコントローラを使用してメモリアレイを動作させるように構成され得る。他の場合には、メモリコントローラはプロセッサ１１２０に組み込まれ得る。プロセッサ１１２０は、様々な機能（例えば、アップリンク制御チャネル送信のためのＵＥシフトランダム化をサポートする機能またはタスク）を行うために、メモリに記憶されたコンピュータ可読命令を実行するように構成され得る。
【０１４６】
[0152]  メモリ１１２５はＲＡＭとＲＯＭとを含み得る。メモリ１１２５は、実行されたときに、本明細書で説明される様々な機能を行うことをプロセッサにさせる命令を含むコンピュータ可読、コンピュータ実行可能ソフトウェア１１３０を記憶し得る。場合によっては、メモリ１１２５は、特に、周辺構成要素またはデバイスとの対話などの基本的なハードウェアまたはソフトウェア動作を制御し得るＢＩＯＳを含み得る。
【０１４７】
[0153]  ソフトウェア１１３０は、アップリンク制御チャネル送信のためのＵＥシフトランダム化をサポートするためのコードを含む本開示の態様を実施するためのコードを含み得る。ソフトウェア１１３０は、システムメモリまたは他のメモリなど、非一時的コンピュータ可読媒体に記憶され得る。場合によっては、ソフトウェア１１３０は、プロセッサによって直接的に実行可能でないことがあるが、（例えば、コンパイルされ実行されたとき）本明細書で説明される機能を行うことをプロセッサにさせ得る。
【０１４８】
[0154]  トランシーバ１１３５は、本明細書で説明されるように、１つまたは複数のアンテナ、ワイヤードリンク、またはワイヤレスリンクを介して双方向に通信し得る。例えば、トランシーバ１１３５はワイヤレストランシーバを表し得、別のワイヤレストランシーバと双方向に通信し得る。トランシーバ１１３５はまた、パケットを変調し、変調されたパケットを送信のためにアンテナに与えるための、およびアンテナから受信されたパケットを復調するためのモデムを含み得る。場合によっては、ワイヤレスデバイスは単一のアンテナ１１４０を含み得る。しかしながら、場合によっては、デバイスは、複数のワイヤレス送信を同時に送信または受信することが可能であり得る２つ以上のアンテナ１１４０を有し得る。
【０１４９】
[0155]  ネットワーク通信マネージャ１１４５は、（例えば、１つまたは複数のワイヤードバックホールリンクを介して）コアネットワークとの通信を管理し得る。例えば、ネットワーク通信マネージャ１１４５は、１つまたは複数のＵＥ１１５など、クライアントデバイスのためのデータ通信の転送を管理し得る。
【０１５０】
[0156]  局間通信マネージャ１１５０は、他の基地局１０５との通信を管理し得、他の基地局１０５と協働してＵＥ１１５との通信を制御するためのコントローラまたはスケジューラを含み得る。例えば、局間通信マネージャ１１５０は、ビームフォーミングまたはジョイント送信などの様々な干渉緩和技法のためのＵＥ１１５への送信のためのスケジューリングを協調させ得る。いくつかの例では、局間通信マネージャ１１５０は、基地局１０５間の通信を行うために、ロングタームエボリューション（ＬＴＥ）／ＬＴＥ−Ａワイヤレス通信ネットワーク技術内のＸ２インターフェースを与え得る。
【０１５１】
[0157]  図１２は、本開示の態様による、アップリンク制御チャネル送信のためのＵＥシフトランダム化のための方法１２００を示すフローチャートを示す。方法１２００の動作は、本明細書で説明されたように、ＵＥ１１５またはそれの構成要素によって実施され得る。例えば、方法１２００の動作は、図４〜図７を参照しながら説明されたＵＥ通信マネージャによって行われ得る。いくつかの例では、ＵＥ１１５は、本明細書で説明される機能を行うようにデバイスの機能要素を制御するためのコードのセットを実行し得る。追加または代替として、ＵＥ１１５は、専用ハードウェアを使用して、本明細書で説明される機能の態様を行い得る。
【０１５２】
[0158]  １２０５において、ＵＥ１１５は、アップリンク制御メッセージの送信のためのベースシーケンスを識別し得る。１２０５の動作は、本明細書で説明される方法に従って行われ得る。いくつかの例では、１２０５の動作の態様は、図４〜図７を参照しながら説明されたシーケンスマネージャによって行われ得る。
【０１５３】
[0159]  １２１０において、ＵＥ１１５は、ベースシーケンスとともに使用されることになるＵＥ固有初期シフトを示すシグナリングを受信し得る。１２１０の動作は、本明細書で説明される方法に従って行われ得る。いくつかの例では、１２１０の動作の態様は、図４〜図７を参照しながら説明されたランダム化済みシフト構成要素によって行われ得る。
【０１５４】
[0160]  １２１５において、ＵＥ１１５は、アップリンク制御メッセージのためのアップリンク制御情報を決定し得る。１２１５の動作は、本明細書で説明される方法に従って行われ得る。いくつかの例では、１２３０の動作の態様は、図４〜図７を参照しながら説明された制御メッセージ送信構成要素によって行われ得る。
【０１５５】
[0161]  １２２０において、ＵＥ１１５は、ＵＥ固有初期シフトおよびアップリンク制御情報に少なくとも部分的に基づいて、ベースシーケンスのシフト済みシーケンスを決定し得る。１２２０の動作は、本明細書で説明される方法に従って行われ得る。いくつかの例では、１２２０の動作の態様は、図４〜図７を参照しながら説明されたシーケンスマネージャによって行われ得る。
【０１５６】
[0162]  １２２５において、ＵＥ１１５は、アップリンク制御情報をアップリンク制御メッセージ中で送信し得、ここで、アップリンク制御情報はシフト済みシーケンスに基づく。１２２５の動作は、本明細書で説明される方法に従って行われ得る。いくつかの例では、１２２５の動作の態様は、図４〜図７を参照しながら説明された制御メッセージ送信構成要素によって行われ得る。
【０１５７】
[0163]  図１３は、本開示の態様による、アップリンク制御チャネル送信のためのＵＥシフトランダム化のための方法１３００を示すフローチャートを示す。方法１３００の動作は、本明細書で説明される基地局１０５またはその構成要素によって実施され得る。例えば、方法１３００の動作は、図８〜図１１を参照しながら説明された基地局通信マネージャによって行われ得る。いくつかの例では、基地局１０５は、本明細書で説明される機能を行うようにデバイスの機能要素を制御するためのコードのセットを実行し得る。追加または代替として、基地局１０５は、専用ハードウェアを使用して、本明細書で説明される機能の態様を行い得る。
【０１５８】
[0164]  １３０５で、基地局１０５は、アップリンク制御メッセージの送信のためのベースシーケンスに適用されることになるＵＥ固有初期シフトを示すシグナリングを、ＵＥ１１５に送信し得る。１３０５の動作は、本明細書で説明される方法に従って行われ得る。いくつかの例では、１３０５の動作の態様は、図８〜図１１を参照しながら説明されたシフトシグナリング構成要素によって行われ得る。
【０１５９】
[0165]  １３１０で、基地局１０５は、アップリンク制御情報をアップリンク制御メッセージ中で受信し得、ここで、アップリンク制御情報は、ＵＥ固有初期シフトとアップリンク制御情報のペイロードとに従ってベースシーケンスに対してシフトされたシフト済みシーケンスに基づく。１３１０の動作は、本明細書で説明される方法に従って行われ得る。いくつかの例では、１３１０の動作の態様は、図８〜図１１を参照しながら説明された制御メッセージマネージャによって行われ得る。
【０１６０】
[0166]  本明細書で説明される方法が、可能な実施形態を表すこと、ならびに動作およびステップが並べ替えられるかあるいは別の様態で変更され得ること、ならびに他の実施形態が可能であることに留意されたい。さらに、方法のうちの２つ以上からの態様が組み合わされ得る。
【０１６１】
[0167]  本明細書で説明される技法は、符号分割多元接続（ＣＤＭＡ）、時分割多元接続（ＴＤＭＡ）、周波数分割多元接続（ＦＤＭＡ）、直交周波数分割多元接続（ＯＦＤＭＡ）、シングルキャリア周波数分割多元接続（ＳＣ−ＦＤＭＡ）、および他のシステムなど、様々なワイヤレス通信システムのために使用され得る。ＣＤＭＡシステムは、ＣＤＭＡ２０００、ユニバーサル地上波無線アクセス（ＵＴＲＡ）などのような無線技術を実施し得る。ＣＤＭＡ２０００は、ＩＳ−２０００、ＩＳ−９５、およびＩＳ−８５６規格をカバーする。ＩＳ−２０００リリースは、一般に、ＣＤＭＡ２０００  １Ｘ、１Ｘなどと呼ばれることがある。ＩＳ−８５６（ＴＩＡ−８５６）は、一般に、ＣＤＭＡ２０００  １ｘＥＶ−ＤＯ、高速パケットデータ（ＨＲＰＤ）などと呼ばれる。ＵＴＲＡは、広帯域ＣＤＭＡ（ＷＣＤＭＡ（登録商標））と、ＣＤＭＡの他の変形態とを含む。ＴＤＭＡシステムは、モバイル通信用グローバルシステム（ＧＳＭ（登録商標））などの無線技術を実施し得る。
【０１６２】
[0168]  ＯＦＤＭＡシステムは、ウルトラモバイルブロードバンド（ＵＭＢ）、発展型ＵＴＲＡ（Ｅ−ＵＴＲＡ）、米国電気電子技術者協会（ＩＥＥＥ）８０２．１１（Ｗｉ−Ｆｉ（登録商標））、ＩＥＥＥ８０２．１６（ＷｉＭＡＸ（登録商標））、ＩＥＥＥ８０２．２０、Ｆｌａｓｈ−ＯＦＤＭなどの無線技術を実施し得る。ＵＴＲＡおよびＥ−ＵＴＲＡは、ユニバーサルモバイルテレコミュニケーションズシステム（ＵＭＴＳ）の一部である。ＬＴＥ、ＬＴＥ−ＡおよびＬＴＥ−Ａ  Ｐｒｏは、Ｅ−ＵＴＲＡを使用するＵＭＴＳのリリースである。ＵＴＲＡ、Ｅ−ＵＴＲＡ、ＵＭＴＳ、ＬＴＥ、ＬＴＥ−Ａ、ＬＴＥ−Ａ  Ｐｒｏ、ＮＲ、およびＧＳＭは、「第３世代パートナーシッププロジェクト」（３ＧＰＰ（登録商標））という名称の組織からの文書に記載されている。ＣＤＭＡ２０００およびＵＭＢは、「第３世代パートナーシッププロジェクト２」（３ＧＰＰ２）と称する団体からの文書に記載されている。本明細書で説明された技法は、上で言及されたシステムと無線技術とならびに他のシステムと無線技術とに使用され得る。ＬＴＥ、ＬＴＥ−Ａ、ＬＴＥ−Ａ  ＰｒｏまたはＮＲシステムの諸態様が、例として説明される場合があり、ＬＴＥ、ＬＴＥ−Ａ、ＬＴＥ−Ａ  ＰｒｏまたはＮＲ技術が、説明の多くで使用され得るが、本明細書で説明される技術は、ＬＴＥ、ＬＴＥ−Ａ、ＬＴＥ−Ａ  ＰｒｏまたはＮＲ応用例を超えて適用可能である。
【０１６３】
[0169]  マクロセルは、一般に、比較的大きい地理的エリア（例えば、半径数キロメートル）をカバーし、ネットワークプロバイダのサービスに加入しているＵＥ１１５による無制限アクセスを可能にし得る。スモールセルは、マクロセルと比較して、低電力基地局１０５に関連付けられ得、スモールセルは、マクロセルと同じかまたは異なる（例えば、認可、無認可などの）周波数帯域で動作し得る。スモールセルは、様々な例によれば、ピコセル、フェムトセルおよびマイクロセルを含み得る。ピコセルは、例えば、小さい地理的エリアをカバーし得、ネットワークプロバイダのサービスに加入しているＵＥ１１５による無制限アクセスを可能にし得る。フェムトセルは、小さい地理的エリア（例えば、自宅）を同じくカバーし得、フェムトセルとの関連を有するＵＥ１１５（例えば、限定加入者グループ（ＣＳＧ）中のＵＥ１１５、自宅内のユーザのためのＵＥ１１５など）による制限付きアクセスを与え得る。マクロセルのためのｅＮＢは、マクロｅＮＢと呼ばれることがある。スモールセルのためのｅＮＢは、スモールセルｅＮＢ、ピコｅＮＢ、フェムトｅＮＢまたはホームｅＮＢと呼ばれることがある。ｅＮＢは、１つまたは複数の（例えば、２つ、３つ、４つなどの）セルをサポートし得、また、１つまたは複数のコンポーネントキャリアを使用した通信をサポートし得る。
【０１６４】
[0170]  ワイヤレス通信システム１００または本明細書で説明されるシステムは、同期動作または非同期動作をサポートし得る。同期動作の場合、基地局１０５は同様のフレームタイミングを有し得、異なる基地局１０５からの送信は時間的にほぼ整合され得る。非同期動作の場合、基地局１０５は異なるフレームタイミングを有することがあり、異なる基地局１０５からの送信は時間的に整合されないことがある。本明細書で説明される技法は、同期動作または非同期動作のいずれかのために使用され得る。
【０１６５】
[0171]  本明細書で説明される情報および信号は、様々な異なる技術および技法のいずれかを使用して表され得る。例えば、上記の説明全体にわたって参照され得るデータ、命令、コマンド、情報、信号、ビット、シンボル、およびチップは、電圧、電流、電磁波、磁場、光場、粒子、またはそれらの任意の組合せによって表され得る。
【０１６６】
[0172]  本明細書の開示に関して説明される様々な例示的なブロックおよびモジュールは、汎用プロセッサ、デジタル信号プロセッサ（ＤＳＰ）、特定用途向け集積回路（ＡＳＩＣ）、フィールドプログラマブルゲートアレイ（ＦＰＧＡ）または他のプログラマブル論理デバイス（ＰＬＤ）、個別ゲートまたはトランジスタ論理、個別ハードウェア構成要素、あるいは本明細書で説明された機能を行うように設計されたそれらの任意の組合せを用いて実施または行われ得る。汎用プロセッサは、マイクロプロセッサであり得るが、代替として、プロセッサは、任意の従来のプロセッサ、コントローラ、マイクロコントローラ、または状態機械であり得る。プロセッサは、コンピューティングデバイスの組合せ（例えばＤＳＰとマイクロプロセッサとの組合せ、複数のマイクロプロセッサ、ＤＳＰコアと連携する１つまたは複数のマイクロプロセッサ、あるいは任意の他のそのような構成）としても実施され得る。
【０１６７】
[0173]  本明細書で説明される機能は、ハードウェア、プロセッサによって実行されるソフトウェア、ファームウェア、またはそれらの任意の組合せで実施され得る。プロセッサによって実行されるソフトウェアで実施される場合、機能は、１つまたは複数の命令またはコードとして、コンピュータ可読媒体上に記憶されるか、あるいはコンピュータ可読媒体を介して送信され得る。他の例および実施形態は、本開示の範囲内および添付の特許請求の範囲内にある。例えば、ソフトウェアの性質により、本明細書で説明される機能は、プロセッサによって実行されるソフトウェア、ハードウェア、ファームウェア、ハードワイヤリング、またはこれらのいずれかの組合せを使用して実施され得る。機能を実施する特徴はまた、機能の部分が、異なる物理的ロケーションにおいて実施されるように分散されることを含めて、様々な位置に物理的に配置され得る。
【０１６８】
[0174]  コンピュータ可読媒体は、ある場所から別の場所へのコンピュータプログラムの転送を容易にする任意の媒体を含む、非一時的コンピュータ記憶媒体と通信媒体との両方を含む。非一時的記憶媒体は、汎用コンピュータまたは専用コンピュータによってアクセスできる任意の利用可能な媒体であり得る。限定ではなく例として、非一時的コンピュータ可読媒体は、ランダムアクセスメモリ（ＲＡＭ）、読取り専用メモリ（ＲＯＭ）、電気的消去可能プログラム可能読取り専用メモリ（ＥＥＰＲＯＭ（登録商標））、フラッシュメモリ、コンパクトディスク（disk）（ＣＤ）ＲＯＭもしくは他の光学ディスク（disk）ストレージ、磁気ディスク（disk）ストレージもしくは他の磁気ストレージデバイス、あるいは、命令またはデータ構造の形で所望のプログラムコード手段を担持しまたは記憶するのに使用され得、汎用コンピュータもしくは特殊目的コンピュータまたは汎用プロセッサもしくは特殊目的プロセッサによってアクセスされ得る任意の他の非一時的媒体を備え得る。また、いかなる接続もコンピュータ可読媒体と適切に呼ばれる。例えば、ソフトウェアが、同軸ケーブル、光ファイバーケーブル、ツイストペア、デジタル加入者回線（ＤＳＬ）、または赤外線、無線、およびマイクロ波などのワイヤレス技術を使用してウェブサイト、サーバ、または他のリモートソースから送信される場合、同軸ケーブル、光ファイバーケーブル、ツイストペア、ＤＳＬ、または赤外線、無線、およびマイクロ波などのワイヤレス技術は、媒体の定義に含まれる。本明細書で使用するディスク（disk）およびディスク（disc）は、ＣＤ、レーザーディスク（登録商標）（disc）、光ディスク（disc）、デジタル多用途ディスク（disc）（ＤＶＤ）、フロッピー（登録商標）ディスク（disk）およびＢｌｕ−ｒａｙ（登録商標）ディスク（disc）を含み、ディスク（disk）は、通常、データを磁気的に再生し、ディスク（disc）は、データをレーザーで光学的に再生する。上記の組合せもコンピュータ可読媒体の範囲内に含まれる。
【０１６９】
[0175]  特許請求の範囲内を含めて本明細書で使用される、項目のリスト（例えば、「のうちの少なくとも１つ」または「のうちの１つまたは複数」などの句で終わる項目のリスト）内で使用される「または」は、例えば、Ａ、Ｂ、またはＣのうちの少なくとも１つのリストが、ＡまたはＢまたはＣまたはＡＢまたはＡＣまたはＢＣまたはＡＢＣ（すなわち、ＡおよびＢおよびＣ）を意味するような包括的なリストを示す。また、本明細書で使用される「に基づいて」という句は、条件の閉集合への参照として解釈されるべきでない。例えば、「条件Ａに基づいて」と記述された例示的なステップは、本開示の範囲から逸脱することなく条件Ａと条件Ｂとの両方に基づき得る。言い換えれば、本明細書で使用される「に基づいて」という句は、「に少なくとも部分的に基づいて」という句と同じように解釈されるべきである。
【０１７０】
[0176]  添付の図では、同様の構成要素または特徴は同じ参照ラベルを有し得る。さらに、同じタイプの様々な構成要素は、参照ラベルの後に、ダッシュと、それらの同様の構成要素を区別する第２のラベルとを続けることによって区別され得る。第１の参照ラベルのみが本明細書において使用される場合、その説明は、第２の参照ラベルまたは他の次の参照ラベルにかかわらず、同じ第１の参照ラベルを有する同様の構成要素のうちのいずれにも適用可能である。
【０１７１】
[0177]  添付の図面に関して本明細書に記載した説明は、例示的な構成について説明しており、実施され得るまたは特許請求の範囲内に入る全ての例を表すとは限らない。本明細書で使用される「例示的」という用語は、「例、事例、または例示として働くこと」を意味し、「好ましい」または「他の例よりも有利な」を意味しない。詳細な説明は、記載された技法の理解を与えるための具体的な詳細を含む。しかしながら、これらの技法は、これらの特定の詳細なしに実践され得る。いくつかの事例では、記載された例の概念を不明瞭にすることを回避するために、よく知られている構造およびデバイスがブロック図の形態で示される。
【０１７２】
[0178]  本明細書の説明は、当業者が本開示を作成または使用することを可能にするように提供される。本開示への様々な変更は当業者には容易に明らかとなり、本明細書で定義された一般原理は、本開示の範囲から逸脱することなく他の変形形態に適用され得る。従って、本開示は、本明細書に記載された例および設計に限定されず、本明細書で開示された原理および新規の特徴に合致する最も広い範囲を与えられるべきである。
【図１】
2021505055.tif 000004
【図２Ａ】
2021505055.tif 000005
【図２Ｂ】
2021505055.tif 000006
【図３】
2021505055.tif 000007
【図４】
2021505055.tif 000008
【図５】
2021505055.tif 000009
【図６】
2021505055.tif 000010
【図７】
2021505055.tif 000011
【図８】
2021505055.tif 000012
【図９】
2021505055.tif 000013
【図１０】
2021505055.tif 000014
【図１１】
2021505055.tif 000015
【図１２】
2021505055.tif 000016
【図１３】
2021505055.tif 000017
【国際調査報告】
2021505055.tif 000018
2021505055.tif 000019
2021505055.tif 000020